(57)【特許請求の範囲】
【請求項１】
無線通信システムにおいて、ＵＥ（user equipment）がＢＳ（base station）から下りリンク信号を受信する方法であって、
特定時間領域に含まれる複数の期間のそれぞれで下りリンク信号が送信されるかどうかを通知するためのＤＣＩ（downlink control information）を受信するステップと、
前記ＤＣＩに基づいて、前記下りリンク信号を受信するステップと、を含み、
前記複数の期間の１つ以上の第１の期間は、第１のサイズを有し、
前記複数の期間の１つ以上の第２の期間は、第２のサイズを有し、
前記第１のサイズは、Ceil(T/M)であり、
前記第２のサイズは、Floor(T/M)であり、
Ｔは、前記特定時間領域のサイズを示し、
Ｍは、前記複数の期間の数を示し、
前記特定時間領域は、１４＊２＾｛（ｕ−ｕ＿ｒｅｆ）｝＊Ｐ個のシンボルを含み、
ｕは、サービングセルのニューマロロジーであり、
ｕ＿ｒｅｆは、前記ＤＣＩに対するニューマロロジーであり、
Ｐは、前記ＤＣＩをモニタリングするための周期であり、
前記特定時間領域は、上りリンクシンボルとしてUL-DL-configuration-commonパラメータによって通知されるシンボルを含まない、方法。
【請求項２】
前記１つ以上の第１の期間の数は、前記特定時間領域の前記サイズを前記複数の期間の数で除して得られた値に基づいて決定される、請求項１に記載の方法。
【請求項３】
前記１つ以上の第１の期間の数は、M-Floor(M*Ceil(T/M)-T)であり、
前記１つ以上の第２の期間の数は、Floor(M*Ceil(T/M)-T)であり、
Ｔは、前記特定時間領域のサイズであり、
Ｍは、前記複数の期間の数である、請求項２に記載の方法。
【請求項４】
前記複数の期間は、前記特定時間領域及び特定周波数領域のために設定される、請求項１に記載の方法。
【請求項５】
前記周期は、前記特定時間領域に対する時間と同一である、請求項１に記載の方法。
【請求項６】
前記ＤＣＩは、前記下りリンク信号が前記複数の期間のそれぞれで送信されるかどうかを通知するための複数のビットを含む、請求項１に記載の方法。
【請求項７】
無線通信システムにおいて、ＢＳ（base station）から下りリンク信号を受信するＵＥ（user equipment）であって、
少なくとも１つのトランシーバと、
少なくとも１つのプロセッサと、
前記少なくとも１つのプロセッサと動作可能に接続可能であり、命令を格納する少なくとも１つのコンピュータメモリと、を備え、
前記命令は、実行されたとき、
特定時間領域に含まれる複数の期間のそれぞれで下りリンク信号が送信されるかどうかを通知するためのＤＣＩ（downlink control information）を受信するステップと、
前記ＤＣＩに基づいて、前記下りリンク信号を受信するステップと、
を含む動作を前記少なくとも１つのプロセッサに実行させ、
前記複数の期間の１つ以上の第１の期間は、第１のサイズを有し、
前記複数の期間の１つ以上の第２の期間は、第２のサイズを有し、
前記第１のサイズは、Ceil(T/M)であり、
前記第２のサイズは、Floor(T/M)であり、
Ｔは、前記特定時間領域のサイズを示し、
Ｍは、前記複数の期間の数を示し、
前記特定時間領域は、１４＊２＾｛（ｕ−ｕ＿ｒｅｆ）｝＊Ｐ個のシンボルを含み、
ｕは、サービングセルのニューマロロジーであり、
ｕ＿ｒｅｆは、前記ＤＣＩに対するニューマロロジーであり、
Ｐは、前記ＤＣＩをモニタリングするための周期であり、
前記特定時間領域は、上りリンクシンボルとしてUL-DL-configuration-commonパラメータによって通知されるシンボルを含まない、ＵＥ。
【発明の詳細な説明】
【技術分野】
【０００１】
本発明は、先に占有されたリソース情報を指示する方法及びそのための装置に関し、より詳細には、先に占有されたリソースを効率的に指示するための前記先に占有されたリソースのための指示子の指示方法、指示周期の設定方法、及びそのための装置に関する。
【背景技術】
【０００２】
時代の流れによってより多くの通信装置がより大きな通信容量を要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ  Ｍｏｂｉｌｅ  ＢｒｏａｄＢａｎｄ（ｅＭＢＢ）／Ｕｌｔｒａ−ｒｅｌｉａｂｉｌｉｔｙ  ａｎｄ  ｌｏｗ−ｌａｔｅｎｃｙ  ｃｏｍｍｕｎｉｃａｔｉｏｎ（ＵＲＬＬＣ）／Ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオが区分される。
【０００３】
ここで、ｅＭＢＢはＨｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣはＵｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（ｅ．ｇ．，Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣはＬｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（ｅ．ｇ．，ＩｏＴ）。
【発明の概要】
【発明が解決しようとする課題】
【０００４】
本発明は、無線通信システムにおいて、先に占有されたリソース情報を指示する方法及びそのための装置を提供しようとする。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明の実施例による無線通信システムにおいて、端末が基地局から信号を受信する方法であって、上位層によって、前記信号を送信するか否かを指示するための特定時間領域の複数の区間を設定するステップと、前記複数区間の各々における、前記信号を送信するか否かを指示する指示子を受信するステップと、前記受信された指示子の指示に従って、前記複数の区間の各々において信号を受信するステップと、を含み、前記特定時間領域の複数の区間のうち、少なくとも１つの区間は、第１のサイズを有し、前記少なくとも１つの区間を除くその他の区間は、第２のサイズを有することができる。
【０００７】
このとき、前記第１のサイズ及び前記第２のサイズは、互いに異なる値であってもよい。
【０００８】
また、前記第１のサイズ及び前記第２のサイズは、前記特定時間領域のサイズを前記複数の区間の数で割った値に基づいて決定されることができる。
【０００９】
また、前記第１のサイズは
0006949962.tif 000002
であり、前記第２のサイズは
0006949962.tif 000003
であるが、前記Ｔは前記特定時間領域のサイズであり、前記Ｍは前記複数の区間の数であってもよい。
【００１０】
また、前記第１のサイズを有する少なくとも１つの区間の数は、前記特定時間領域のサイズを前記複数の区間の数で除した値に基づいて決定されることができる。
【００１１】
また、前記第１のサイズを有する少なくとも１つの区間の数は、
0006949962.tif 000004
であり、前記第２のサイズを有するその他の区間の数は、
0006949962.tif 000005
であり、前記Ｔは、前記特定時間領域のサイズであり、前記Ｍは、前記複数の区間の数であってもよい。
【００１２】
また、前記複数の区間は、前記特定時間領域及び特定周波数領域のために設定されることができる。
【００１３】
また、前記信号を送信するか否かを指示する指示子をモニタリングする周期は、前記特定時間領域のサイズに関連することができる。
【００１４】
また、前記上位層から、前記信号が送信されない領域が存在するか否かに関するパラメータが受信されると、前記複数の区間を設定することができる。
【００１５】
また、前記特定時間領域は、下りリンクを受信するための時間領域を含むことができる。
【００１６】
また、前記信号を送信するか否かを指示する指示子をモニタリングする周期は、前記特定時間領域に上りリンクを送信するための区間が追加された時間領域と同一であってもよい。
【００１７】
また、前記信号を送信するか否かを指示する指示子は、前記指示子がモニタリングされるスロットの最初のシンボルの直前のシンボルから、前記上りリンク送信のための区間が追加された時間領域だけのリソースに対する前記信号を送信するか否かを指示することができる。
【００１８】
また、前記信号を送信するか否かを指示する指示子は、前記複数の区間の各々の、前記信号を送信するか否かを指示するための複数のビットを含むことができる。
【００１９】
本発明による無線通信システムにおいて、基地局から信号を受信する端末であって、前記基地局と信号を送受信するＲＦモジュールと、前記ＲＦモジュールと接続して、上位層によって、前記信号を送信するか否かを指示するための特定時間領域の複数の区間を設定して、前記複数の区間の各々における、前記信号を送信するか否かを指示する指示子を受信して、前記受信された指示子の指示に従って、前記複数の区間の各々において信号を受信して、前記特定時間領域の複数の区間のうち、少なくとも１つの区間は第１のサイズを有して、前記少なくとも１つの区間を除くその他の区間は第２のサイズを有することができる。
【発明の効果】
【００２０】
本発明によれば、ｅＭＢＢとＵＲＬＬＣのように要求される送信方法が異なる物理チャネル間の上りリンクリソースを効率的に共有することができる。
【００２１】
また、先に占有されたリソース領域に関する情報を細分化して送信することで、先に占有されたリソース領域に関する情報を効率的に端末に指示することができる。
【図面の簡単な説明】
【００２２】
【図１】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図２】３ＧＰＰシステムに用いられる物理チャネル及びこれらを用いた一般的な信号送信方法を説明する図である。
【図３】ＬＴＥシステムで用いられる無線フレームの構造を例示する図である。
【図４】ＬＴＥシステムで用いられる下りリンク無線フレームの構造を例示する図である。
【図５】ＬＴＥシステムで用いられる上りリンクサブフレームの構造を示す図である。
【図６】ＴＸＲＵとアンテナ要素の接続方式の一例を示す図である。
【図７】自己完備型（Ｓｅｌｆ−ｃｏｎｔａｉｎｅｄ）サブフレーム構造の一例である。
【図８】先に占有されたリソースを指示するビットフィールドサイズ（ｂｉｔ  ｆｉｅｌｄ  ｓｉｚｅ）に対する実施例に関する図である。
【図９】先に占有されたリソースのための指示子の指示方法による実施例を説明するための図である。
【図１０】先に占有されたリソースのための指示子が指示する時間領域及び指示周期を説明するための図である。
【図１１】先に占有されたリソースのための指示子が指示する時間領域及び指示周期を説明するための図である。
【図１２】本発明の一実施例による通信装置のブロック構成図である。
【発明を実施するための形態】
【００２３】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２４】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。
【００２５】
また、本明細書では、基地局をＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な名称として使うことができる。
【００２６】
図１は、３ＧＰＰ無線接続網の規格に基づく端末とＥ−ＵＴＲＡＮの間の無線インターフェースプロトコルのコントロールプレーン及びユーザプレーンの構造を示す図である。コントロールプレーンは端末（Ｕｓｅｒ  Ｅｑｕｉｐｍｅｎｔ；ＵＥ）とネットワークが呼を管理するために用いる制御メッセージが送信される通路を意味する。ユーザプレーンはアプリケーション層で生成されたデータ、例えば、音声データ又はインターネットパケットデータなどが送信される通路を意味する。
【００２７】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は上位にある媒体アクセス制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続される。この送信チャネルを介して媒体アクセス制御層と物理層の間でデータが移動する。送信側と受信側の物理層の間では物理チャネルを介してデータが移動する。物理チャネルは時間と周波数を無線リソースとして活用する。具体的には、物理チャネルは、下りリンクにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいては、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２８】
第２の層である媒体アクセス制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性のあるデータ送信を支援する。ＲＬＣ層の機能はＭＡＣ内部の機能ブロックにより具現化できる。第２の層のＰＤＣＰ層は帯域幅が狭い無線インターフェースにおいてＩＰｖ４或いはＩＰｖ６のようなＩＰパケットを効率的に送信するために不要な制御情報を減らすヘッダ圧縮（Ｈｅａｄｅｒ  Ｃｏｍｐｒｅｓｓｉｏｎ）の機能を果たす。
【００２９】
第３の層である最下部に位置する無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は無線ベアラ（Ｒａｄｉｏ  Ｂｅａｒｅｒ）の設定、再設定及び解除に関連して論理チャネル、送信チャネル及び物理チャネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうではない場合はＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３０】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信され、又は別の下りＭＣＨ（Ｍｕｌｔｉｃａｓｔ  Ｃｈａｎｎｅｌ）を介して送信されることができる。なお、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位にありかつ送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３１】
図２は、３ＧＰＰシステムに用いられる物理チャネル及びこれらを用いた一般的な信号送信方法を説明する図である。
【００３２】
端末は、電源がオンになったり新たにセルに進入した場合は、基地局と同期を取るなどの初期セル探索（Ｉｎｉｔｉａｌ  ｃｅｌｌ  ｓｅａｒｃｈ）作業を行う（Ｓ２０１）。このために、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信することによって基地局と同期を取り、セルＩＤなどの情報を得ることができる。その後、端末は基地局から物理放送チャネル（Ｐｈｙｓｉｃａｌ  Ｂｒｏａｄｃａｓｔ  Ｃｈａｎｎｅｌ）を受信してセル内の放送情報を得ることができる。なお、端末は初期セル探索段階において下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００３３】
初期セル探索を終了した端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに載せられた情報によって物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を得ることができる（Ｓ２０２）。
【００３４】
一方、基地局に最初に接続した或いは信号送信のための無線リソースがない場合は、端末は、基地局に対してランダムアクセス過程（Ｒａｎｄｏｍ  Ａｃｃｅｓｓ  Ｐｒｏｃｅｄｕｒｅ；ＲＡＣＨ）を行うことができる（段階Ｓ２０３〜段階Ｓ２０６）。このために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。競合ベースのＲＡＣＨの場合、さらに衝突解決手順（Ｃｏｎｔｅｎｔｉｏｎ  Ｒｅｓｏｌｕｔｉｏｎ  Ｐｒｏｃｅｄｕｒｅ）を行うことができる。
【００３５】
上述した手順を行った端末は、その後、一般的な上り／下りリンク信号送信の手順として、ＰＤＣＣＨ／ＰＤＳＣＨ受信（Ｓ２０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ２０８）を行う。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報などの制御情報を含み、その使用目的に応じてフォーマットが互いに異なる。
【００３６】
一方、端末が上りリンクを通じて基地局に送信したり又は端末が基地局から受信したりする制御情報は、下り／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は上述したＣＱＩ／ＰＭＩ／ＲＩなどの制御情報をＰＵＳＣＨ及び／又はＰＵＣＣＨを介して送信することができる。
【００３７】
図３は、ＬＴＥシステムで用いられる無線フレームの構造を例示する図である。
【００３８】
図３を参照すると、無線フレーム（ｒａｄｉｏ  ｆｒａｍｅ）は１０ｍｓ（３２７２００×Ｔｓ）の長さを有し、１０個の均等なサイズのサブフレーム（ｓｕｂｆｒａｍｅ）で構成されている。それぞれのサブフレームは１ｍｓの長さを有し、２個のスロット（ｓｌｏｔ）で構成されている。それぞれのスロットは０．５ｍｓ（１５３６０×Ｔｓ）の長さを有する。ここで、Ｔｓはサンプリング時間を表し、Ｔｓ＝１／（１５ｋＨｚ×２０４８）＝３．２５５２×１０−８（約３３ｎｓ）で表示される。スロットは時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて一つのリソースブロックは１２個の副搬送波×７（６）個のＯＦＤＭシンボルを含む。データの送信される単位時間であるＴＴＩ（Ｔｒａｎｓｍｉｓｓｉｏｎ  Ｔｉｍｅ  Ｉｎｔｅｒｖａｌ）は一つ以上のサブフレーム単位に定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００３９】
図４は、下りリンク無線フレームにおいて一つのサブフレームの制御領域に含まれる制御チャネルを例示する図である。
【００４０】
図４を参照すると、サブフレームは１４個のＯＦＤＭシンボルで構成されている。サブフレーム設定によって先頭の１〜３個のＯＦＤＭシンボルは制御領域として用いられ、残りの１３〜１１個のＯＦＤＭシンボルはデータ領域として用いられる。同図で、Ｒ１〜Ｒ４は、アンテナ０〜３に対する基準信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００４１】
ＰＣＦＩＣＨは物理制御フォーマット指示子チャネルであって、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１  ＯＦＤＭシンボルと定義される最小物理リソースを表す。ＰＣＦＩＣＨ値は帯域幅によって１〜３又は２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００４２】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルであって、上りリンク送信に対するＨＡＲＱ  ＡＣＫ／ＮＡＣＫを運ぶために用いられる。すなわち、ＰＨＩＣＨは、ＵＬ  ＨＡＲＱのためのＤＬ  ＡＣＫ／ＮＡＣＫ情報が送信されるチャネルを表す。ＰＨＩＣＨは、１個のＲＥＧで構成され、セル特有（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散率（Ｓｐｒｅａｄｉｎｇ  Ｆａｃｔｏｒ；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシティ利得を得るために３回反復（ｒｅｐｅｔｉｔｉｏｎ）される。
【００４３】
ＰＤＣＣＨは物理下りリンク制御チャネルであって、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、送信チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割り当てに関する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを通じて送信される。したがって、基地局と端末は一般に、特定の制御情報又は特定のサービスデータ以外は、ＰＤＳＣＨを通じてデータをそれぞれ送信及び受信する。
【００４４】
ＰＤＳＣＨのデータがいずれの端末（一つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」というＤＣＩフォーマット、すなわち、送信形式情報（例えば、送信ブロックサイズ、変調方式、コーディング情報など）を用いて送信されるデータに関する情報が、特定サブフレームで送信されると仮定する。この場合、セル内の端末は、自身が持っているＲＮＴＩ情報を用いて検索領域でＰＤＣＣＨをモニタリング、すなわち、ブラインドデコードし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００４５】
図５は、ＬＴＥシステムで用いられる上りリンクサブフレームの構造を示す図である。
【００４６】
図５を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要求であるＳＲ（Ｓｃｈｅｄｕｌｉｎｇ  Ｒｅｑｕｅｓｔ）などがある。一つの端末に対するＰＵＣＣＨは、サブフレーム内の各スロットで互いに異なる周波数を占める一つのリソースブロックを使用する。すなわち、ＰＵＣＣＨに割り当てられる２個のリソースブロックはスロット境界で周波数ホッピング（ｆｒｅｑｕｅｎｃｙ  ｈｏｐｐｉｎｇ）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００４７】
以下、チャネル状態情報（ｃｈａｎｎｅｌ  ｓｔａｔｅ  ｉｎｆｏｒｍａｔｉｏｎ，ＣＳＩ）の報告について説明する。現在、ＬＴＥ標準では、チャネル状態情報無しで運用される開ループ（ｏｐｅｎ−ｌｏｏｐ）ＭＩＭＯと、チャネル状態情報に基づいて運用される閉ループ（ｃｌｏｓｅｄ−ｌｏｏｐ）ＭＩＭＯという２つの送信方式が存在する。特に、閉ループＭＩＭＯでは、ＭＩＭＯアンテナの多重化利得（多重化ｇａｉｎ）を得るために、基地局及び端末のそれぞれは、チャネル状態情報に基づいてビームフォーミングを行うことができる。基地局は、チャネル状態情報を端末から得るために、端末にＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を割り当てて、下りリンク信号に対するチャネル状態情報（ＣＳＩ）をフィードバックするように命令する。
【００４８】
ＣＳＩは、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｅｘ）、ＣＱＩ（Ｃｈａｎｎｅｌ  Ｑｕａｌｉｔｙ  Ｉｎｄｉｃａｔｉｏｎ）の３つの情報に大別される。先ず、ＲＩは、上述のように、チャネルのランク情報を示し、端末が同一の周波数−時間リソースによって受信できるストリーム数を意味する。また、ＲＩは、チャネルの長期フェーディング（ｌｏｎｇ  ｔｅｒｍ  ｆａｄｉｎｇ）によって決定されるため、通常、ＰＭＩ、ＣＱＩ値よりも長い周期で基地局にフィードバックされる。
【００４９】
次に、ＰＭＩはチャネルの空間特性を反映した値であって、ＳＩＮＲなどのメトリック（ｍｅｔｒｉｃ）を基準として端末が好むプリコーディング行列インデックスを示す。最後に、ＣＱＩはチャネルの強度を示す値であって、通常、基地局がＰＭＩを用いるときに得られる受信ＳＩＮＲのことを意味する。
【００５０】
３ＧＰＰ  ＬＴＥ−Ａシステムにおいて、基地局は、複数のＣＳＩプロセスをＵＥに設定して、各プロセスに対するＣＳＩが報告される。ここで、ＣＳＩプロセスは、基地局からの信号品質の特定のためのＣＳＩ−ＲＳリソースと干渉測定のためのＣＳＩ−ＩＭ（ｉｎｔｅｒｆｅｒｅｎｃｅ  ｍｅａｓｕｒｅｍｅｎｔ）リソース、即ち、ＩＭＲ（ｉｎｔｅｒｆｅｒｅｎｃｅ  ｍｅａｓｕｒｅｍｅｎｔ  ｒｅｓｏｕｒｃｅ）で構成される。
【００５１】
Ｍｉｌｌｉｍｅｔｅｒ  Ｗａｖｅ（ｍｍＷ）では波長が短くなるため、同一面積に多数のアンテナ要素の設置が可能である。具体的には、３０ＧＨｚ帯域において波長は１ｃｍであって、４  ｂｙ  ４ｃｍのパネル（ｐａｎｅｌ）に０．５ｌａｍｂｄａ（波長）間隔で２Ｄ（ｄｉｍｅｎｓｉｏｎ）配列である全６４（８×８）のアンテナ要素を設けることができる。これにより、ｍｍＷ分野における最近の動向では、多数のアンテナ要素を使用してＢＦ（ｂｅａｍｆｏｒｍｉｎｇ）利得を上げてカバレッジを増加させたり、或いはスループット（ｔｈｒｏｕｇｈｐｕｔ）を増加させたりすることを試みている。
【００５２】
このとき、アンテナ要素別に送信パワー及び位相の調節ができるように、ＴＸＲＵ（Ｔｒａｎｓｃｅｉｖｅｒ  Ｕｎｉｔ）を備えると、周波数リソース別に独立したビームフォーミングが可能である。しかし、１００個余りの全てのアンテナ要素にＴＸＲＵを設けることは費用面で実効性に乏しい問題がある。従って、１つのＴＸＲＵに多数のアンテナ要素をマッピングし、アナログ位相シフター（ａｎａｌｏｇ  ｐｈａｓｅ  ｓｈｉｆｔｅｒ）でビーム方向を調節する方式が考えられている。かかるアナログビームフォーミング方式では全帯域において１つのビーム方向のみが形成できるので、周波数選択的なビームフォーミングができないというデメリットがある。
【００５３】
デジタルＢＦとアナログＢＦの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素の接続方式によって差はあるが、同時に送信可能なビームの方向はＢ個以下に制限される。
【００５４】
図６は、ＴＸＲＵとアンテナ要素の接続方式の一例を示す図である。
【００５５】
図６（ａ）は、ＴＸＲＵがサブアレイ（ｓｕｂ−ａｒｒａｙ）に接続された方式を示している。この場合、アンテナ要素は１つのＴＸＲＵにのみ接続される。これとは異なり、図６（ｂ）は、ＴＸＲＵが全てのアンテナ要素に接続された方式を示している。この場合、アンテナ要素は全てのＴＸＲＵに接続される。図６において、Ｗはアナログ位相シフターにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−多である。
【００５６】
より多い通信機器がより大きい通信容量を要求することにより、既存のＲＡＴ（ｒａｄｉｏ  ａｃｃｅｓｓ  ｔｅｃｈｎｏｌｏｇｙ）に比べて向上した無線広帯域通信に対する必要性が台頭しつつある。また、複数の機器及びモノを接続していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考慮される主なイッシュの１つである。のみならず、信頼度（ｒｅｌｉａｂｉｌｉｔｙ）及びレイテンシ（ｌａｔｅｎｃｙ）に敏感なサービス／ＵＥを考慮した通信システムデザインが提示されている。これを考慮した次世代ＲＡＴの導入が論議されており、本発明では、便宜のために、Ｎｅｗ  ＲＡＴ（以下、ＮＲ）と称する。
【００５７】
ＴＤＤシステムにおいてデータ送信レイテンシを最小化するために第５世代ＮＲでは、図７のような自己完備型（Ｓｅｉｆ−ｃｏｎｔａｉｎｅｄ）サブフレームの構造を考慮している。図７は、自己完備型サブフレームの構造の一例を示す図である。
【００５８】
図７において、斜線領域は下りリンク制御領域を示し、黒塗り領域は上りリンク制御領域を示す。表示のない領域は、下りリンクデータ送信のために用いられてよく、上りリンクデータ送信のために用いられてもよい。この構造の特徴は、１つのサブフレームにおいて下りリンク送信と上りリンク送信とが順次に行われ、サブフレーム内で下りリンクデータを送信したり、上りリンクＡＣＫ／ＮＡＣＫを受信したりすることもできる。結果として、データ送信エラーが発生したとき、データの再送信までかかる時間を減らすことになり、これによって最終データ伝達のレイテンシを最小化することができる。
【００５９】
このような自己完備型サブフレーム構造において、基地局とＵＥが送信モードから受信モードに切り替えられる過程、又は受信モードから送信モードに切り替えられる過程のためには、時間間隙（ｔｉｍｅ  ｇａｐ）が必要である。そのために、自己完備型サブフレーム構造において、下りリンクから上りリンクに切り替えられる時点の一部のＯＦＤＭシンボル（ＯＦＤＭ  ｓｙｍｂｏｌ；ＯＳ）がＧＰ（ｇｕａｒｄ  ｐｅｒｉｏｄ）として設定される。
【００６０】
ＮｅｗＲＡＴをベースとして動作するシステムにおいて、構成／設定が可能な上述した自己完備型サブフレームタイプの一例として、少なくとも以下のような４つのサブフレームタイプが考えられる。
【００６１】
−  下りリンク制御区間＋下りリンクデータ区間＋ＧＰ＋上りリンク制御区間
【００６２】
−  下りリンク制御区間＋下りリンクデータ区間
【００６３】
−  下りリンク制御区間＋ＧＰ＋上りリンクデータ区間＋上りリンク制御区間
【００６４】
−  下りリンク制御区間＋ＧＰ＋上りリンクデータ区間
【００６５】
第５世代ＮｅｗＲＡＴシステムでは、応用分野又はトラフィックの種類に応じて、物理チャネルの送受信に使用する基準時間単位が様々であり得る。この基準時間は、特定物理チャネルをスケジュールするための基本単位であってもよく、当該スケジューリング単位を構成するシンボルの数及び／又は副搬送波間隔などによって基準時間単位は異なってもよい。
【００６６】
本発明の実施例では、説明の便宜のために、基準時間単位をスロットとミニスロットとに仮定する。スロットは、一例として、ｅＭＢＢ（ｅｎｈａｎｃｅｄ  ｍｏｂｉｌｅ  ｂｒｏａｄｂａｎｄ）で送信されるデータのように、一般のデータトラフィックに使用されるスケジューリングの基本単位である。ミニスロットは、時間ドメインにおいてスロットより小さい時間区間を有して、ＵＲＬＬＣ（Ｕｌｔｒａ  ｒｅｌｉａｂｌｅ  ａｎｄ  ｌｏｗ  ｌａｔｅｎｃｙ  ｃｏｍｍｕｎｉｃａｔｉｏｎ）、非免許帯域又はｍｉｌｌｉｍｅｔｅｒ  ｗａｖｅなどのように、特別な目的のトラフィック又は通信方式に使用するスケジューリングの基本単位である。また、後述する実施例において、ミニスロットとは、単一シンボルを含み、特定シンボルグループで代表されることができる。
【００６７】
ただし、上記内容は、本発明の便宜のための実施例に過ぎず、ｅＭＢＢがミニスロットをベースとして物理チャネルを送受信する場合、又はＵＲＬＬＣや他の通信方式がスロットをベースとして物理チャネルを送受信する場合にも、本発明の思想から拡張できることは自明である。
【００６８】
スロットベースの送信（以下、ｅＭＢＢ送信）は、相対的にミニスロットベースの送信（以下、ＵＲＬＬＣ）と比較して、相対的に長い時間の間に送信が発生する可能性がある。ＵＲＬＬＣトラフィックの場合には、一般に、緊急なパケットが急激に発生することがあり、特に、ｅＭＢＢ送信中にＵＲＬＬＣトラフィックが発生する可能性がある。
【００６９】
一方、下りリンク送信間の重畳はいずれも基地局端から発生するため、ＵＲＬＬＣデータを保護（ｐｒｏｔｅｃｔｉｏｎ）するために、ｅＭＢＢの一部のリソースをパンクチャリングするなどの方法を使用することができる。しかし、上りリンク送信間の重畳は、送信の主体が互いに異なるＵＥであり得るため、格別な措置を取らない場合、ｅＭＢＢデータとＵＲＬＬＣデータとの衝突（ｃｏｌｌｉｓｉｏｎ）によって、上りリンクチャネル受信性能が相当に低下する可能性がある。
【００７０】
かかる問題点を解決するために、本発明は、サブフレーム、スロット又はミニスロットのような複数の基準時間単位で送受信する場合、互いに異なる時間単位で送信される物理チャネルを効率的に多重化（ｍｕｌｔｉｐｌｅｘｉｎｇ）する方法を提案しようとする。
【００７１】
次期システムでは、基本的に、ＵＲＬＬＣ上りリンク送信のための時間及び／又は周波数リソースを上位層シグナリングによって設定することができる。具体的に、上りリンク送信方式が承認ベースの上りリンク送信（ｇｒａｎｔ−ｂａｓｅｄ  ＵＬ  ｔｒａｎｓｍｉｓｓｉｏｎ）であるか、又は非承認ベースの上りリンク送信（ｇｒａｎｔ−ｆｒｅｅ  ＵＬ  ｔｒａｎｓｍｉｓｓｉｏｎ）であるかによって、リソース集合を独立して設定することができる。このように、リソース集合を独立して設定する場合、ｅＭＢＢ送信とＵＲＬＬＣ送信が衝突する場合、ｅＭＢＢ送信とＵＲＬＬＣ送信を異なる方式で処理可能である点において有用である。一方、ここで、非承認ベースの上りリンク送信とは、ＵＥが基地局のスケジューリング指示なく、予め又は上位層で割り当てられたリソースのうち、ＵＥが自分で特定リソースを選択して、上りリンクを送信することである。
【００７２】
一方、本発明の実施例は、上りリンクチャネル及び信号に基づいて説明したが、これに限定されず、下りリンクチャネル及び信号に対しても拡張適用することができる。
【００７３】
＜ｅＭＢＢ送信の中止（Ｈａｌｔｉｎｇ  ｏｎ−ｇｏｉｎｇ  ｔｒａｎｓｍｉｓｓｉｏｎ  ｏｆ  ｅＭＢＢ）＞
【００７４】
ｅＭＢＢ上りリンク送信とＵＲＬＬＣ送信が重なる場合、相互間の干渉によって２つのチャネルの検出性能が急激に低下する可能性がある。特に、ＵＲＬＬＣの場合、検出失敗によって実質的な遅延が長くなり得る。かかる問題点を防止するための方法として、先に送信中のｅＭＢＢ上りリンクチャネルの送信をＵＲＬＬＣ上りリンクチャネルが送信される時点にのみ中止したり、ＵＲＬＬＣ上りリンクチャネルが送信される時点から、その以後の送信を中止する。そのために、ｅＭＢＢ  ＵＥは送信途中にＵＲＬＬＣ上りリンクチャネルの存在を認知する必要がある。
【００７５】
よって、本発明では、以下のように、ｅＭＢＢ  ＵＥがＵＲＬＬＣ上りリンクチャネルの存在を認知して、ｅＭＢＢ送信を中止するための方法に関する実施例を提案する。
【００７６】
実施例１−１
【００７７】
ｅＭＢＢ  ＵＥがＵＲＬＬＣに対する上りリンク承認、制御のためのＤＣＩ及び／又は上りリンクチャネルのためのＤＭＲＳを検出することを考慮する。この方式のために、基地局がＵＲＬＬＣ信号を検出するための情報をＵＥ特有にシグナリングすることができる。具体的に、ＵＲＬＬＣ信号検出のための情報は、ＤＣＩ及び／又はＤＭＲＳの候補であってもよい。
【００７８】
一方、ＵＲＬＬＣに対するＤＣＩ及び／又はＤＭＲＳがＵＥ特有（ＵＥ−ｓｐｅｃｉｆｉｃ）に設定される代わりに、セル特有（ｃｅｌｌ−ｓｐｅｃｉｆｉｃ）、ビーム特有（ｂｅａｍ−ｓｐｅｃｉｆｉｃ）又はＵＥグループ共通（ＵＥ−ｇｒｏｕｐ  ｃｏｍｍｏｎ）に設定されてもよい。
【００７９】
しかし、ｅＭＢＢとＵＲＬＬＣとのニューマロロジー（ｎｕｍｅｒｏｌｏｇｙ）が異なる場合、セル特有（ｃｅｌｌ−ｓｐｅｃｉｆｉｃ）、ビーム特有（ｂｅａｍ−ｓｐｅｃｉｆｉｃ）又はＵＥグループ共通（ＵＥ−ｇｒｏｕｐ  ｃｏｍｍｏｎ）にＵＲＬＬＣに対するＤＣＩ及び／又はＤＭＲＳが設定されることは適しないことがあり、この場合には、基地局は、ｅＭＢＢニューマロロジーによって中止される信号（ｈａｌｔｉｎｇ  ｓｉｇｎａｌ）に関する情報を送信することができる。すなわち、ｅＭＢＢ  ＵＥは基地局から中止される信号に関する情報を検出して、一定時間以後に、ｅＭＢＢ送信を当該時点にのみ中止したり、その時点以後から中止することができる。例えば、ＵＲＬＬＣが承認ベースの上りリンク送信を行う場合、ｅＭＢＢ  ＵＥは基地局からＵＲＬＬＣ上りリンク信号の送信時点に関する情報を検出して、当該時点にのみｅＭＢＢ送信を中止したり、その時点以後から中止することができる。
【００８０】
ただし、上述した例示は、ＵＲＬＬＣが非承認上りリンク送信（ｇｒａｎｔ−ｆｒｅｅ  ＵＬ  ｔｒａｎｓｍｉｓｓｉｏｎ）を行う場合には動作が難しい可能性がある。よって、非承認上りリンク送信に対するリソースは予約されることができる。換言すれば、ＵＲＬＬＣの非承認上りリンク送信に対するリソースは、ｅＭＢＢ上りリンクが使用できないようにすることができる。
【００８１】
実施例１−２
【００８２】
ｅＭＢＢ  ＵＥは、ＵＲＬＬＣ信号に対してＬＢＴ（ｌｉｓｔｅｎ  ｂｅｆｏｒｅ  ｔａｌｋ）方式を取ることができる。すなわち、ｅＭＢＢ上りリンク送信途中に電力検出（ｅｎｅｒｇｙ  ｄｅｔｅｃｔｉｏｎ）などの方法によって、他のＵＥからＵＲＬＬＣ信号が送信されるか否かを測定して、この測定に基づいて、ｅＭＢＢ信号送信を中止することができる。
【００８３】
しかし、上述の場合、２つのＵＥ間の距離が離れている場合、すなわち、隠れノード問題（ｈｉｄｄｅｎ−ｎｏｄｅ  ｐｒｏｂｌｅｍ）が発生する場合、上述した動作が十分に行われない可能性がある。
【００８４】
よって、ＬＢＴ方式を取ったｅＭＢＢ信号送信の中止が十分に行われない場合、すなわち、２つのＵＥ間の距離が一定以上離れて、ｅＭＢＢ上りリンク送信を行ったものの、これによる干渉などの問題が発生した場合、実施例１に戻って、基地局からＵＲＬＬＣ信号送信のための信号のシグナリングを受信することができる。このとき、基地局はＬＢＴベースで上りリンク送信が行われたと仮定して、当該動作中に、他のＵＥのＵＲＬＬＣ上りリンク送信と、ｅＭＢＢ  ＵＥの上りリンク送信による干渉現象が発生したことを発見した場合、ｅＭＢＢ  ＵＥにＬＢＴ方式によるｅＭＢＢ上りリンク送信動作を中止することを指示して、実施例１による動作を行うことを指示することができる。
【００８５】
一方、マルチスロットスケジューリング（ｍｕｌｔｉ−ｓｌｏｔ  ｓｃｈｅｄｕｌｉｎｇ）又はマルチミニスロットスケジューリング（ｍｕｌｔｉ−ｍｉｎｉ−ｓｌｏｔ  ｓｃｈｅｄｕｌｉｎｇ）を受けるＵＥのＵＲＬＬＣ信号を送受信する間に行われる制御チャネルモニタリング動作は、以下のようである。
【００８６】
（１）制御チャネルモニタリングを毎スロットごとに行うことが設定された場合、毎スロットごとに制御チャネルモニタリングを行う。また、制御チャネルを介して現在進行中のマルチスロットスケジューリングに対する保留（ｓｕｓｐｅｎｓｉｏｎ）／ドロップ（ｄｒｏｐ）／継続（ｃｏｎｔｉｎｕｅ）の指示が指定される。このような指示コンテンツ又はタイプは、ＲＮＴＩ、ＣＲＣ、スクランブリング、ＤＭＲＳシーケンス又はスクランブリングを異ならせることで知らせることができる。或いは、送信検索空間候補又はリソースを異ならせて構成して、保留／ドロップ／継続などの動作を区別することができる。すなわち、マルチスロットスケジューリングに対する保留又はドロップが指示された場合、当該区間内でこの指示を受けた制御チャネルモニタリング以後の制御チャネルモニタリングの実行を保留するか、ドロップすることができ、継続の指示が指定された場合には、毎スロットごとに制御チャネルモニタリングの実行を維持して、マルチスロットスケジューリングが続けて指示されることができる。
【００８７】
（２）マルチスロットスケジューリングの場合、ＵＲＬＬＣ信号の送受信の途中に発生する制御チャネルモニタリング動作を省略（ｓｋｉｐ）することができる。すなわち、ＵＲＬＬＣ信号の送受信の途中には、制御チャネルモニタリング動作も中止することができる。
【００８８】
一方、基地局がＵＥに送信するパンクチャリング又は上りリンク送信の中止に関する指示信号は、上位層シグナリングを介して別に指示されたミニスロット又はミニスロットグループ別、又はＵＲＬＬＣ  ＴＴＩ別に送信されることができる。例えば、互いに異なるサービス要求及び／又はスケジューリング単位を有するｅＭＢＢとＵＲＬＬＣが基地局の承認（ｇｒａｎｔ）をベースとして動作する場合、基地局は、ｅＭＢＢ上りリンクの送信途中に、ｅＭＢＢ上りリンク送信領域と一部重なる時間周波数リソースを介してＵＲＬＬＣ上りリンク送信を受信するために、ｅＭＢＢ  ＵＥにパンクチャリング又は上りリンク送信の中止に関する指示信号を送信することができる。
【００８９】
このとき、前記指示信号の送信可能時点は、ＵＲＬＬＣ上りリンク送信に対する承認信号を送信する時点又は前記承認信号を送信する時点からＵＲＬＬＣ上りリンク送信が実行される以前の時点の間である。ｅＭＢＢ  ＵＥは、基地局が送信した指示信号を受信／検出した時点以後の特定時点（例えば、次のｍｉｎｉ−ｓｌｏｔ（ｇｒｏｕｐ））からｅＭＢＢ上りリンク送信を遅延又は中止することができる。このとき、上述した特定時点は、指示信号を受信／検出した時点以後のミニスロット又はミニスロットグループに該当することができる。なお、前記指示信号に関する実施例は、ｅＭＢＢ／ＵＲＬＬＣに対する上りリンク送信の他に、下りリンク送信に対しても拡張／適用することができる。
【００９０】
次期システムでは、互いに異なるサービス要求及び／又はスケジューリング単位を有するｅＭＢＢとＵＲＬＬＣに関連して、ｅＭＢＢ下りリンク送信の進行途中に、下りリンクリソースの一部をＵＲＬＬＣ下りリンク送信に使用することができる。また、ｅＭＢＢ  ＵＥが適した復調（ｄｅｍｏｄｕｌａｔｉｏｎ）及びデコーディング（ｄｅｃｏｄｉｎｇ）を行うために、ＵＲＬＬＣ下りリンク送信のために使用される下りリンクリソースの一部に対する指示シグナリングを送信することができる。
【００９１】
また、前記指示シグナリングをミニスロット又はミニスロットグループ別に送信するとき、前記指示シグナリングは、（１）現在進行中のｅＭＢＢ下りリンク送信がＵＲＬＬＣ下りリンク送信によってパンクチャリングされるか否か、パンクチャリングされたリソース情報を含んでもよい。また、（２）ＵＲＬＬＣ上りリンク送信による現在進行中のｅＭＢＢ上りリンク送信の送信遅延／送信中止の可否を含んでもよく、ＵＲＬＬＣ上りリンク送信に使用されるリソース情報を含んでもよい。
【００９２】
一方、前記指示シグナリングは、（１）下りリンクデータの復調及びデコーディングを目的とするＵＥのための情報ではないリソース領域を表示することができる。また、（２）上りリンクデータの送信において、ある時点から送信を遅延又は中止するか、又は対象リソース情報を含むことができる。この情報は、簡単に２ビットのビットマップ形態で構成されてもよく、ＭＳＢ（Ｍｏｓｔ  Ｓｉｇｎｉｆｉｃａｎｔ  Ｂｉｔ）は下りリンクに関する情報であり、ＬＳＢ（Ｌｅａｓｔ  Ｓｉｇｎｉｆｉｃａｎｔ  Ｂｉｔ）は上りリンクに関する情報であってもよい。また、ｅＭＢＢ／ＵＲＬＬＣの下りリンク／上りリンク多重化に関する情報を互いに異なるシーケンスにマッピングする形態で指示信号を構成してもよい。
【００９３】
一方、非承認ベースの上りリンク送信を考慮する場合、基地局端において現在進行中の送信に関する方式を制御することは非効率的であり得る。例えば、ＵＲＬＬＣが非承認ベースの上りリンク送信を行い、ＵＲＬＬＣに対するトラフィックが間欠的に発生する場合、基地局端ではｅＭＢＢ上りリンク送信をいつ中止するかを知らない。かかる問題を軽減させるために、前記送信遅延又は送信中止の対象となるリソースを上位層シグナリングを介して予め設定することが考えられる。
【００９４】
＜ｅＭＢＢとＵＲＬＬＣとの重畳（Ｓｕｐｅｒｐｏｓｉｔｉｏｎ  ｏｆ  ｅＭＢＢ  ａｎｄ  ＵＲＬＬＣ）＞
【００９５】
ｅＭＢＢとＵＲＬＬＣを同一のリソースで同時に送信することが考えられる。２つの上りリンクチャネル間の電力比率を一定レベル以上に設定して、ｅＭＢＢ信号とＵＲＬＬＣ信号を重畳（ｓｕｐｅｒｐｏｓｉｔｉｏｎ）することで、基地局端で２つの上りリンクチャネルを干渉除去（ｉｎｔｅｒｆｅｒｅｎｃｅ  ｃａｎｃｅｌｌａｔｉｏｎ）方式などによって検出させることができる。
【００９６】
基本的に、ｅＭＢＢ上りリンクは送信中である可能性があり、ＱＡＭ変調を考慮すると、ｅＭＢＢ上りリンクチャネルを送信する途中には電力が維持された方が有利であるため、ＵＲＬＬＣの電力を適するように変更することができる。一方、ｅＭＢＢ  ＵＥの状況又は電力設定によって、ｅＭＢＢ上りリンク信号の送信電力よりもＵＲＬＬＣ信号の送信電力を小さく設定するか、逆に、ＵＲＬＬＣ上りリンク信号の送信電力よりもｅＭＢＢ上りリンク信号の送信電力を小さく設定することができる。換言すれば、ｅＭＢＢ信号の送信電力を基準として、ＵＲＬＬＣ信号の送信電力がスケジュールされる。このとき、相対的に送信電力の大きい信号が先に検出される必要がある。
【００９７】
このとき、遅延の観点から、相対的に高い送受信電力のＵＲＬＬＣ上りリンク信号に、相対的に低い送受信電力のｅＭＢＢ信号を重ねることのみをネットワークが許容することができる。この場合、ｅＭＢＢ信号をデコードするために、ＵＲＬＬＣ信号を全体又は一定以上除去することが可能である必要があり、そのために、ｅＭＢＢ  ＵＥに、ＵＥ特有に、セル共通に、又はＵＥグループ共通にＵＲＬＬＣ信号に関する情報を知らせることができる。
【００９８】
このとき、上述した方法は、下りリンク送信に限られてもよい。仮に、上りリンク送信に適用される場合、上りリンク送信が同一のネットワークに対して発生する場合に限られてもよい。その理由は、上りリンク送信に対する復調及びデコーディングを行うためには、ｅＭＢＢ及びＵＲＬＬＣ上りリンク送信に対する復調情報及びデコーディング情報をネットワークが全て知る必要があるためである。
【００９９】
このとき、ＵＲＬＬＣ信号デコーディングのための情報に対する候補を予め定義するか、ネットワークがシグナリングによってＵＥに指示することができる。さらに、ネットワークシグナリングを介した指示は、上位層を介してもよく、上位層において候補を設定した後、ＤＣＩを介して特定候補を選択して指示してもよい。また、ＤＣＩはグループ共通ＤＣＩであるか、ｅＭＢＢデータをスケジュールするＤＣＩであってもよい。
【０１００】
一方、ＵＲＬＬＣ信号の場合には相対的に高い電力を有することができ、よって、ｅＭＢＢ信号の有無には関係なくデコーディングを行うことができる。仮に、反対方向の重畳（ｓｕｐｅｒｐｏｓｉｔｉｏｎ）を考慮する場合、すなわち、高い送受信電力のｅＭＢＢ信号に、相対的に低い送受信電力のＵＲＬＬＣを重ねる場合、上述した実施例において説明したｅＭＢＢ信号とＵＲＬＬＣ信号との位置が取り替えられる。このとき、ＵＲＬＬＣ  ＵＥにｅＭＢＢ信号に関する情報を提供する場合、特定コードブロックグループに関する情報を提供することができる。
【０１０１】
一方、ｅＭＢＢ上りリンクチャネルに対しては、承認ベースのスケジューリングを考慮することができ、ＵＲＬＬＣ上りリンクチャネルに対しては、承認ベースのスケジューリングと非承認ベースのスケジューリングをいずれも考慮することができる。特に、承認ベースの上りリンクチャネル送信間には各々の電力制御、すなわち、ＴＰＣ（Ｔｒａｎｓｍｉｓｓｉｏｎ  ｐｏｗｅｒ  ｃｏｎｔｒｏｌ）によってＵＲＬＬＣ信号とｅＭＢＢ信号との重畳を構成することができる。
【０１０２】
例えば、ＴＰＣ及び／又は上位層シグナリングされたオフセットを適正値に設定することができる。ところが、ＴＰＣ値又はオフセットの範囲に対する調節幅が大きく、重畳（ｓｕｐｅｒｐｏｓｉｔｉｏｎ）動作を上位層で設定する場合には、ＴＰＣの値範囲及び／又は上位層シグナリングされたオフセット値範囲が変動される可能性がある。
【０１０３】
一方、ｅＭＢＢとＵＲＬＬＣが重畳（ｓｕｐｅｒｐｏｓｉｔｉｏｎ）されて送信可能なリソースは半静的（ｓｅｍｉ−ｓｔａｔｉｃ）に設定されていて、当該リソース内におけるＵＲＬＬＣスケジューリングは、承認ベースで動的に行われてもよい。このとき、ｅＭＢＢ  ＵＥはＵＲＬＬＣが送信される可能性のあるリソースと、そうではないリソースとで送信電力を別に適用することができ、ＵＲＬＬＣ送信が可能なリソースに適用するＴＰＣ情報は、上位層シグナリングを介して受信することができる。
【０１０４】
このとき、単一上りリンク送信に対して電力設定が異なり得るリソースが全て構成されることを考慮してもよい。例えば、重畳（ｓｕｐｅｒｐｏｓｉｔｉｏｎ）を考慮したリソース又はＵＲＬＬＣ送信のために承認されたリソースでは、他のリソースに比べて、上りリンク送信電力が相対的に小さく設定される。
【０１０５】
また、電力を変更するときには、位相連続性が保証されない可能性もあり、よって承認されたリソースに対して別のパイロットや参照信号を追加することもできる。
【０１０６】
次は、承認されたリソースにおけるＵＥ動作方法について具体的な実施例を挙げて説明する。特に、ｅＭＢＢ上りリンク送信方法を説明する。
【０１０７】
実施例２−１
【０１０８】
ｅＭＢＢ信号の全体又は参照信号、ＵＣＩのような特定信号を除いては、送信を行わなくてもよい。すなわち、ＵＲＬＬＣ送信のために、ｅＭＢＢ上りリンク送信は、当該リソースでパンクチャリングされるか、レートマッチングされることができる。
【０１０９】
実施例２−２
【０１１０】
ｅＭＢＢ信号の全体又は参照信号、ＵＣＩのような特定信号を除いては、ｅＭＢＢ送信電力が小さく設定されてもよい。具体的に、承認されたリソースに対する送信電力又は電力密度は、承認されていないリソース（ｎｏｎ−ｇｕａｒａｎｔｅｅｄ  ｒｅｓｏｕｒｃｅ）における送信電力に比例して追加オフセットが設定されてもよく、独立した電力制御が行われてもよい。ここで、独立した電力制御が行われるとは、上位層シグナリングされたオフセット設定及び／又はＴＰＣが独立して制御され得ることを意味する。
【０１１１】
実施例２−３
【０１１２】
周波数及び／又は時間ドメインに対してＯＣＣ（ｏｒｔｈｏｇｏｎａｌ  ｃｏｖｅｒ  ｃｏｄｅ）を適用することを考慮することができる。例えば、特定ＰＲＢ集合（例えば、シングルＰＲＢ）に対しては、周波数軸に長さ２のＯＣＣ又は長さ４のＯＣＣを適用することができ、これに基づいて、互いに異なるサービス要求及び／又はスケジューリング単位を有するｅＭＢＢとＵＲＬＬＣとの多重化を支援することができる。
【０１１３】
例えば、各ＰＲＢごとに偶数番目の副搬送波インデックスと奇数番目の副搬送波インデックスに対して、ｅＭＢＢ信号とＵＲＬＬＣ信号が繰り返しマッピングされ、各々に対してＯＣＣが設定されてもよい。具体的に、偶数番目の副搬送波インデックスに対応する符号化されたシンボルには＋１をかけて、奇数番目の副搬送波インデックスに対応する符号化されたシンボルには、サービス又はＵＥによって、−１又は＋１をかける。
【０１１４】
また、各ＰＲＢ内に最初の６副搬送波インデックスと、その次の６副搬送波インデックスに、ｅＭＢＢ信号とＵＲＬＬＣ信号が繰り返しマッピングされ、各々に対してＯＣＣが設定されてもよい。
【０１１５】
上述した実施例２−１〜２−３の方式のうち、特定方式のみが選択されて適用されてもよく、基地局がＤＣＩ又は上位層シグナリングを介して設定してもよい。このとき、前記ＤＣＩは当該上りリンク送信をスケジュールするＤＣＩであってもよい。また、多重化の対象となるＵＲＬＬＣは、承認ベースの上りリンク送信に限られず、非承認ベースの上りリンク送信にも拡張して適用することができる。
【０１１６】
一方、非承認ベースの上りリンクチャネルの場合、基地局端における電力調節が制限的であり得て、この場合、ｅＭＢＢデータとＵＲＬＬＣデータとの重畳（ｓｕｐｅｒｐｏｓｉｔｉｏｎ）を支援しない可能性がある。この場合、非承認ベースのＵＲＬＬＣに対して設定されたリソースは、ｅＭＢＢデータがレートマッチング又はパンクチャリングされてもよい。また、ＵＲＬＬＣに対して設定されたリソースは、非承認上りリンク送信が行われ得る候補の全体からなってもよく、ｅＭＢＢは、別に承認されたリソース形態で基地局が上位層シグナリング又はＤＣＩを介して指示してもよい。
【０１１７】
一方、ｅＭＢＢ信号とＵＲＬＬＣ信号との重畳（ｓｕｐｅｒｐｏｓｉｔｉｏｎ）を支援する場合、上位層シグナリングされたオフセットに基づいて、基地局端で電力が設定されることができる。具体的に、グループ共通ＤＣＩ又はＵＥ特有ＤＣＩなど、別のチャネルを介して非承認方式に対するＴＰＣが設定されてもよい。このとき、ＴＰＣコマンドは、蓄積（ａｃｃｕｍｕｌａｔｉｏｎ）用途よりは、ＴＰＣコマンドが送信された以後、初めて示される非承認方式の送信リソースに対する電力設定であり得る。或いは、ＴＰＣコマンドによって多数の非承認方式の送信リソースに対する電力を設定して、いずれの非承認方式の送信リソースが適用されるかは、上位層を介して設定されるか、ＤＣＩなどを介して動的に指示されてもよい。一方、ＴＰＣによって送信される値は、オフセット、Ｐ０又はアルファ（ａｌｐｈａ）などのような電力制御パラメータであってもよく、ＵＥが測定したパスロス（ｐａｔｈｌｏｓｓ）に基づいて当該パラメータを設定して電力を計算してもよい。
【０１１８】
一方、ＵＲＬＬＣとｅＭＢＢとが重畳（ｓｕｐｅｒｐｏｓｉｔｉｏｎ）される場合、ｅＭＢＢ  ＵＥは、ＵＲＬＬＣのＤＭＲＳが送信可能なリソース要素によって信号を送信せず、当該リソース要素を空けてレートマッチングを行うことができる。或いは、ＵＲＬＬＣのＤＭＲＳが送信されるリソース要素でＵＲＬＬＣ  ＤＭＲＳと直交するシーケンス（例えば、参照信号）を送信することができる。上述した方法によって、重畳（ｓｕｐｅｒｐｏｓｉｔｉｏｎ）が発生しても、ＵＲＬＬＣのチャネル推定を安定的に行うことができる。仮に、ＵＲＬＬＣを先に復号して、その後にｅＭＢＢを復号する場合には、ｅＭＢＢのＤＭＲＳが送信されるリソース要素でＵＲＬＬＣ信号を送信することができる。これは、ＵＲＬＬＣの復号に成功した場合には、ＵＲＬＬＣ信号を除去した後、ｅＭＢＢ信号の復号を試みることができ、通常的にＵＲＬＬＣの信頼度がｅＭＢＢよりも高いからである。
【０１１９】
一方、ｅＭＢＢ  ＵＥの上りリンク承認をＵＲＬＬＣ  ＵＥが検出できるようにするか、ＵＲＬＬＣ信号に対する上りリンク承認を非承認方式を用いるＵＥが検出できるようにすることが可能である。このとき、ＵＲＬＬＣ  ＵＥがｅＭＢＢ  ＵＥの上りリンク承認を検出するか、ＵＲＬＬＣ信号に対する上りリンク承認を非承認方式を用いるＵＥに検出させるために、各ＵＥごとにＲＮＴＩでマスクするよりは、グループＲＮＴＩでマスクして、ＵＥ  ＩＤをペイロードによって送信することができる。このとき、ＵＥ  ＩＤは、ｅＭＢＢ  ＵＥのＵＤ又は承認ベースの上りリンク送信を行うＵＥのＩＤであってもよい。２ステップＤＣＩが使用される場合、１番目のＤＣＩをグループＲＮＴＩでマスクしてリソース割り当てに関する情報を先に指示して、２番目のＤＣＩをＵＥごとにＲＮＴＩでマスクしてリソース割り当てに関する情報を指示することができる。
【０１２０】
上述したようなＤＣＩを非承認方式のＵＥが受信した場合、ＵＥは、非承認上りリンク送信時、承認ベースの送信と衝突する可能性があることを検知して、送信をドロップ（ｄｒｏｐ）したり、非承認上りリンク送信の電力オフセットを大きく増加させることで、信頼性を高めるための動作を行うことができる。
【０１２１】
また、承認ベースのＵＥとの衝突を避けるために、非承認方式の送信リソースの周波数領域を動的に変更することもできる。例えば、システム帯域幅をＭ個のサブバンドに分けて、非承認方式の送信リソース（ｇｒａｎｔ−ｆｒｅｅ  ｒｅｓｏｕｒｃｅ）がいずれのサブバンドに割り当てられるかを動的に知らせることができる。
【０１２２】
一方、非承認上りリンク送信同士の間にも衝突が発生する可能性がある。この場合、非承認上りリンク送信のための全体のリソース又は非承認上りリンク送信のために予約されたリソースに対して、上りリンクチャネルをマッピングする場合、ＯＣＣを適用することができる。具体的に、非承認上りリンク送信のためのリソース、すなわち、非承認上りリンク送信のために保証されたリソース（ｇｕａｒａｎｔｅｅｄ  ｒｅｓｏｕｒｃｅ）で送信される非承認上りリンク送信を当該符号化されたシンボルに繰り返してマッピングしたり、ＯＣＣを適用することができる。
【０１２３】
例えば、副搬送波インデックスｆ０，ｆ１，…，ｆＮ−１に対して、ＯＣＣ  ｏ０，ｏ１，ｏ２，…，ｏＭ−１が使用されるとするとき、符号化されたシンボルｃ０，ｃ１，ｃ２，…は、保証されたリソース（ｇｕａｒａｎｔｅｅｄ  ｒｅｓｏｕｒｃｅ）において、ｃ０＊ｏ０，ｃ０＊ｏ１，…，ｃ０＊ｏＭ−１，ｃ１＊ｏ０，…，ｃ１＊ｏＭ−１，…のような方式でマッピングされることができる。このＯＣＣ適用方式は一例に過ぎず、実際のマッピング手順は、インタリービング（ｉｎｔｅｒｌｅａｖｅｄ）されてもよい。このとき、互いに異なるＵＥに対して、ＯＣＣシーケンスは異なってもよく、互いに異なるＯＣＣを使用するＵＥに対する非承認上りリンク送信は、基地局端において分離及び区分することができる。通常、ＵＲＬＬＣのトラフィック量は、相対的に、他のデータトラフィックに比べて小さくてもよく、よってＯＣＣ適用によるリソース増加が僅かであり得る。
【０１２４】
＜ＵＲＬＬＣ繰り返し送信（ＵＲＬＬＣ  Ｒｅｐｅｔｉｔｉｏｎ）＞
【０１２５】
次期システムにおいて、ＵＲＬＬＣは、信頼性の確保のための要求事項を達成するための方法の一環として、繰り返し送信を行うことができる。ＵＲＬＬＣサービスが長い時間間隔で変化することを考慮すれば、単一チャネルに対するＵＲＬＬＣ送信の繰り返し回数は、上位層シグナリングを介して設定されてもよい。また、ＵＲＬＬＣトラフィックの量が変化するにつれて、これを反映するために、さらにＤＣＩでＵＲＬＬＣ繰り返し送信に関する情報を指示してもよい。すなわち、上位層又はＤＣＩを介した設定ベースのＵＲＬＬＣ繰り返し送信は、基地局がｅＭＢＢとＵＲＬＬＣの影響を適宜に考慮して設定することができる。
【０１２６】
別の方法としては、特定チャネルに対してＡＣＫが受信されるまでＵＲＬＬＣ信号を繰り返すことができる。例えば、上りリンクチャネルを当該ＡＣＫが受信されるまで繰り返して送信してもよい。具体的に、ＡＣＫを受信した後、ＡＣＫを検出する時間を考慮して、ＡＣＫが受信される時点から一定時間後に、上りリンクチャネルに対する繰り返し送信を中止してもよい。さらに、ＡＣＫが受信される時点から次のシンボル、次のミニスロット、又は次のＵＲＬＬＣ  ＴＴＩより繰り返し送信が中止されてもよい。また、ＵＥの性能／上位層シグナリングされたオフセット／ＤＣＩ又はＡＣＫチャネルのようなＬ１指示に従って、実際に繰り返し送信が中止される時点を設定してもよい。
【０１２７】
しかし、ＡＣＫ受信時点が遅れる場合、繰り返し送信の回数が過度になる可能性があり、不要にｅＭＢＢに対する性能劣化を引き起こす可能性もある。ところが、非承認ベースの送信の場合は、上りリンク送信間の衝突がより頻繁に発生し得る。これを軽減するために、ＮＡＣＫが受信された場合にも繰り返し送信を止めることを考慮してもよく、この場合には、新たなスケジューリング情報に従って再送信を改めて行ってもよい。このとき、再送信は、上位層シグナリング及び／又はＤＣＩの指示に従って繰り返して行われてもよい。
【０１２８】
また一方では、最大の送信繰り返し回数を設定してもよい。実際にＡＣＫ又はＮＡＣＫが受信される前であっても、その最大の送信繰り返し回数を超えないように、繰り返し送信を行うことができる。このとき、当該区間内に空きリソース（ｂｌａｎｋ  ｒｅｓｏｕｒｃｅ）又は有効ではないリソース（ｉｎｖａｌｉｄ  ｒｅｓｏｕｒｃｅ）がある場合には、ＵＲＬＬＣ送信を遅延してもよく、繰り返し送信回数には含ませるものの、実際に送信を行わなくてもよい。
【０１２９】
一方、スロットタイプなどが動的に共通信号などによって指示される場合、非承認方式の送信リソースが動的に有効であるか、有効ではないことがある。例えば、競合ベースではなく、リソース（ｃｏｎｔｅｎｔｉｏｎ−ｆｒｅｅ  ｒｅｓｏｕｒｃｅ）で構成されたスロットが、下りリンク中心スロット又は下りリンク専用スロットで設定された場合、上りリンクの繰り返し送信が遅延されたり、繰り返し送信回数には含ませるものの、実際に送信を行わなくてもよい。さらに、非承認方式の送信リソースが連続して構成される場合、繰り返し送信は連続して発生すると仮定することができる。
【０１３０】
一方、ネットワークが初期送信と再送信とを区別可能な実施例は、以下のようである。
【０１３１】
（１）初期送信と再送信のための非承認方式の送信リソース、すなわち、非承認のための周波数／時間／コードリソースを異ならせて設定することができる。具体的に、再送信の手順に応じて非承認方式の送信リソースを異ならせて設定することもできる。例えば、Ｎ番目の再送信の場合、他の再送信とは違って、リソースを設定したり、各再送信の手順ごとに、手順をベースとしたグループごとに非承認方式の送信リソースを異ならせて設定することができる。
【０１３２】
前記リソースは、上位層で別に設定してもよく、ＵＲＬＬＣ上りリンクに対して設定されたリソース内で特定パターンによって変更されてもよい。一方、初期送信においてＵＲＬＬＣ送信とｅＭＢＢ送信との衝突（ｃｏｌｌｉｓｉｏｎ）が発生した場合、再送信時には衝突が発生してはいけない。そのために、ＵＥ特有パラメータ又はＵＥ−ＲＮＴＩなどによってホッピングパターンを異ならせて設定することができる。
【０１３３】
（２）初期送信と再送信とに使用されるＤＭＲＳパターンを異ならせて設定することができる。すなわち、異なるＤＭＲＳパターンをレートマッチングしてＤＭＲＳを検出するとき、初期送信と再送信とが区別できるようにする。具体的に、再送信の手順によってもＤＭＲＳパターンを異ならせて設定することもできる。例えば、Ｎ番目の再送信の場合、他の再送信とは違って、リソースを設定したり、各再送信の手順ごとに、又は手順をベースとしたグループごとに、ＤＭＲＳパターンを異ならせて設定することができる。
【０１３４】
（３）ＲＶ（Ｒｅｄｕｎｄａｎｃｙ  Ｖａｌｕｅ）、ＮＤＩ（Ｎｅｗ  Ｄａｔａ  Ｉｎｄｉｃａｔｏｒ）などを含むＵＣＩを非承認方式の送信リソースにおいて、データと共に送信する。具体的に、非承認上りリンクリソースに対するＵＣＩのためのリソースは、上位層シグナリングを介して別に設定されてもよく、非承認方式の送信リソース内で予め固定されたリソースで送信されてもよい。このとき、予め固定されたリソースは、最低の周波数インデックス又は最高の周波数インデックスを有するリソースであってもよく、特定の周波数インデックスの集合であってもよい。
【０１３５】
（４）初期送信と再送信とに使用されるＲＶを異ならせて設定することができる。基地局は、ＲＶに対してブラインド検出によるデコーディングメトリックによって初期送信であるか否かを判断してもよい。
【０１３６】
ＵＲＬＬＣ上りリンク送信に対する電力設定には、以下の方式が考えられる。
【０１３７】
（１）繰り返し送信される区間内で電力ランピング（ｐｏｗｅｒ  ｒａｍｐｉｎｇ）を行うことができる。この場合、繰り返し送信回数を減らせる余地がある。例えば、繰り返し送信される区間において、電力をランピングさせるための特定の基本単位が設定されてもよく、これは上位層を介して指示することができる。
【０１３８】
（２）繰り返し送信される区間内では、電力が一定であってもよい。この場合、不要な電力消費を回避することができる。
【０１３９】
（３）非承認ベースの再送信時、電力ランピング（ｐｏｗｅｒ  ｒａｍｐｉｎｇ）を行うことができる。ＤＣＩなどによる動的電力制御が難しい可能性があるため、再送信を基準として電力を増加させることができる。
【０１４０】
（４）繰り返し送信区間内において電力が特定パターンによって変更され得る。このパターンは、予めＵＥ−ＩＤなどによって指定されてもよく、基地局が上位層シグナリング及び／又はＤＣＩを介して指示してもよい。
【０１４１】
例えば、同一のリソース集合で衝突する非承認上りリンク送信の間において、繰り返し送信される繰り返し送信の手順によって、電力の差が異なる場合、重畳（ｓｕｐｅｒｐｏｓｉｔｉｏｎ）を行うことにおいて有利であり得る。
【０１４２】
具体的に、特定リソースでは第１の上りリンク送信の電力値が大きく、他の特定リソースでは第２の上りリンク送信の値が大きい状況を仮定する。このとき、基地局は、特定リソースにおいて相対的に受信電力が強い第１の上りリンク送信に対する検出を行い、その後、ＳＩＣなどによって第２の上りリンク送信の検出を試みることができる。
【０１４３】
一方、他のリソースでは前記検出情報を活用して第２の上りリンク送信と第１の上りリンク送信との重畳（ｓｕｐｅｒｐｏｓｉｔｉｏｎ）を効率的に分離検出することができる。また、非承認ベースの上りリンク送信のように、電力を流動的に変更できない状況では、上述した方法が有用であり得る。
【０１４４】
具体的に、繰り返し送信区間内における電力設定は０を含んでもよく、これはＤＭＲＳ及び／又はデータ間にＴＤＭ及び／又はＦＤＭされる形態であり得る。このとき、ＤＭＲＳは依然として互いに異なるＵＥ間でＣＤＭされ、データのみＴＤＭ又はＦＤＭされてもよい。ここで、ＤＭＲＳが互いに異なるＵＥ間でＣＤＭされるとは、ＤＭＲＳに対する電力が０ではないことを意味する。
【０１４５】
＜影響を受けるリソース（Ｉｍｐａｃｔｅｄ  Ｒｅｓｏｕｒｃｅ）を指示するためのシグナリング方法＞
【０１４６】
次期システムでは、互いに異なるサービス要求事項及び／又はスケジューリング単位を有するデータトラフィック、例えば、ｅＭＢＢとＵＲＬＬＣとのデータトラフィックが同一のリソース上でスケジュールされてもよく、この場合、特定データトラフィックが他のデータトラフィックによって影響を受ける可能性がある。例えば、ＵＲＬＬＣデータトラフィックによって、ｅＭＢＢのデータトラフィックの一部が損傷されたり、ｅＭＢＢのデータトラフィックがマッピングされたリソースの一部がパンクチャリングされる可能性がある。また、ｅＭＢＢデータの送信が遅延されるか中止されることがある。前記した影響を受けるリソースをインパクテッドリソース（ｉｍｐａｃｔｅｄ  ｒｅｓｏｕｒｃｅ）と呼ぶことができ、このインパクテッドリソース（ｉｍｐａｃｔｅｄ  ｒｅｓｏｕｒｃｅ）を指示するための指示信号を基地局がＵＥに送信することができる。この指示信号を用いてＵＥは、下りリンク受信に対しては損傷された符号化シンボル（ｃｏｒｒｕｐｔｅｄ  ｃｏｄｅｄ  ｓｙｍｂｏｌ）をバッファーで削除したり、デコーディングに活用しないなどの作業を行うことができ、上りリンク送信に対しては特定リソースを空けたり、送信を遅延又は中止させることができる。
【０１４７】
この指示信号は、下りリンク及び／又は上りリンクに対するインパクテッドリソースに関する情報を全て含むことができる。また、下りリンクに対するインパクテッドリソースに関する情報と、上りリンクに対するインパクテッドリソースに関する情報に対する指示信号が別に送信されてもよい。
【０１４８】
指示信号は、送信される位置によって、コンテンツの内容及びコンテンツの量が異なり得る。例えば、指示信号がミニスロット又はミニスロットグループ別に、又は、ＵＲＬＬＣに対するスケジューリング単位で送信可能な場合のコンテンツは、インパクテッドリソースの存否を指示可能な１又は２ビット程度の小さいビット数を含むことができる。この場合、指示信号は、ＰＣＦＩＣＨ又はＳＲＳのように、シーケンスを介して状態（ｓｔａｔｅ）を表現したり、ＰＨＩＣＨ又はＰＵＣＣＨのように状態（ｓｔａｔｅ）を変調シンボル（ｍｏｄｕｌａｔｉｏｎ  ｓｙｍｂｏｌ）で表現することができる。
【０１４９】
このとき、指示信号が送信される物理チャネルは、ＰＣＦＩＣＨ、ＰＨＩＣＨなどに対する送信形態のみに従ってもよく、実際に当該物理チャネルが送信される位置で指示信号が送信されるものの、特定ＰＨＩＣＨグループが送信されるリソースの位置及び／又はＰＨＩＣＨシーケンス又はＯＣＣインデックスに割り当てられてもよい。また、基地局が送信するものの、その送信形態は、ＳＲＳ送信又はＰＵＣＣＨ送信のフォーマットに基づいて送信されてもよい。
【０１５０】
また、指示信号は、インパクテッドリソースが含まれる時間／周波数リソース情報又はコードブロック／コードブロックグループ情報のように、インパクテッドリソースに対するより具体的な情報を含むか、又は、指示信号が複数のミニスロット／ミニスロットグループ別、ＵＲＬＬＣに対するスケジューリング単位別、コードブロック／コードブロックグループ別に、インパクテッドリソースに関する情報に対してエンコーディング及び／又はＣＲＣ付加（ＣＲＣ  ａｔｔａｃｈｍｅｎｔ）を行うことができ、この場合、指示信号を送信可能な物理チャネルとしてＰＤＣＣＨ又はＰＵＣＣＨなどを使用することができる。このとき、指示信号を送信可能な物理チャネルは、指示信号が送信されるチャネルの種類を意味して、下りリンク信号の他にも上りリンク送信をベースとしても基地局が特定時点に送信することができる。すなわち、指示信号を基地局がＵＥに送信する場合、これは下りリンク送信に該当するが、ＰＵＣＣＨの送信フォーマットなどをベースとして送信可能であることを意味する。
【０１５１】
ここで、複数のミニスロット／ミニスロットグループに対するインパクテッドリソースを表示する方法の具体的な実施例を説明する。
【０１５２】
実施例３−１
【０１５３】
複数のミニスロット／ミニスロットグループ別、ＵＲＬＬＣに対するスケジューリング単位別、コードブロック／コードブロックグループ別に、インパクテッドリソースの存否をビットマップの形態で表現することができる。
【０１５４】
インパクテッドリソースの存否を全てのリソースに対して、ビットマップの形態で表現する場合、ＵＲＬＬＣに対するトラフィック量が大きい場合、シグナリングオーバーヘッドが不要に大きくなる可能性がある。よって、仮に下りリンクに対するインパクテッドリソースに加えて、上りリンクに対するインパクテッドリソースを表示するとき、上述した各単位別に、下りリンク／上りリンクのインパクテッドリソースに関する情報がビットマップの形態で表現されることができる。換言すれば、複数のミニスロット／ミニスロットグループ、ＵＲＬＬＣに対するスケジューリング単位、又はコードブロック／コードブロックグループの各々に対するインパクテッドリソースの存否をビットマップの形態で表現することができる。
【０１５５】
実施例３−２
【０１５６】
複数のミニスロット／ミニスロットグループ、ＵＲＬＬＣに対するスケジューリング単位、コードブロック／コードブロックグループに対して、インパクテッドリソースの存否を特定パターンの形態で表現することができる。ＵＲＬＬＣトラフィックの量が少ない場合、一般に、スケジューリング単位が大きいｅＭＢＢ送信のうち、ＵＲＬＬＣ送信が影響を与える部分は、数ミニスロット／ミニスロットグループに限定されることができ、よってインパクテッドリソースに関する情報を特定パターン集合に限定して表現することができる。例えば、ミニスロット／ミニスロットグループの数がｅＭＢＢ  ＴＴＩ内に７個とするとき、可能なパターンとしては、［１  ０  ０  ０  ０  ０  ０］，［０  １  ０  ０  ０  ０  ０］，…，［０  ０  ０  ０  ０  ０  １］，…，［１  １  １  １  １  １  １］などがある。
【０１５７】
別の方式として、インパクテッドリソースが発生する開始点と終了点を指示する方式であってもよい。仮に、スケジューリング単位が小さいＵＲＬＬＣに対して繰り返し送信が導入される場合、前記指示値は、インパクテッドリソースの開始点を表現するものであってもよく、実際にインパクテッドリソースは当該開始点と繰り返された回数（ｒｅｐｅｔｉｔｉｏｎ  ｎｕｍｂｅｒ）で表現されることができる。
【０１５８】
具体的に、ネットワークの柔軟性を考慮して、前記したパターン、指示するパターンの方式、パターン組み合わせに対する場合の数などを上位層で設定することもできる。仮に、下りリンクに対するインパクテッドリソースに加えて、上りリンクに対するインパクテッドリソースを表示するとき、各パターンにおいて表示される値は、下りリンク及び／又は上りリンクにおけるインパクテッドリソースに関する情報に取り替えられ得る。
【０１５９】
このとき、時間ドメインリソースの表現において、ビットマップの形態で表現するか、又はパターンの形態で表現するかは、基地局が上位層シグナリング、ＤＣＩ及び／又はグループ共通ＰＤＣＣＨを介して指示することができる。
【０１６０】
上述した実施例において、先に占有されたリソースを指示するとき、特定パターンの組み合わせで指示する場合、先に占有されたリソースに対応するＵＲＬＬＣ信号の再送信が共にスケジュールされてもよく、この場合、再送信による先に占有されたリソースを共に知らせてもよい。
【０１６１】
例えば、先に占有されたリソースを指示するとき、パターンによって、初期送信に対応する先に占有されたリソースを指示して、さらに、当該初期送信が発生する時点から特定時点以後の再送信に対応する先に占有されたリソースを共に指示することができる。このとき、再送信される特定時点は、固定された値であるか、半静的に設定された値であってもよい。
【０１６２】
再送信に対応するリソースは、初期送信のための先に占有されたリソースが発生するとき、常にリソース集合の形態で指示されるか、先に占有されたリソースを指示するとき、先に占有されたリソースに対する指示子に１ビットフラッグ（１−ｂｉｔ  ｆｌａｇ）が存在して、初期送信のために先に占有されたリソースのみ指示するか、又は初期送信と再送信のために先に占有されたリソースをいずれも指示するかを設定することができる。或いは、再送信のためのパターンを追加して指示することもできる。
【０１６３】
ここで、１ビットフラッグを使用するとき、先に占有されたリソースに対する指示子が先に占有されたリソースに対するスロットに関する情報を含む場合、スロットに関する情報を示すフィールドと、先に占有されたリソースを指示するフィールドとが組み合わされて設定されることができる。例えば、ＨＡＲＱ  ＲＴＴを４シンボルグループで構成するとき、前記パターンは、以下のように拡張されることができる。
【０１６４】
［１  ０  ０  ０  ０  ０  ０］，［０  １  ０  ０  ０  ０  ０］，…，［０  ０  ０  ０  ０  ０  １］，…，［１  １  １  １  １  １  １］，［１  ０  ０  ０  １  ０  ０］，［０  １  ０  ０  ０  １  ０］，［０  ０  １  ０  ０  ０  １］，［０  ０  ０  １  ０  ０  ０｜１］…，［０  ０  ０  ０  ０  ０  １｜０  ０  ０  １］，［１  １  １  １  １  １  １｜１  １  １  １］。
【０１６５】
すなわち、再送信に対応する先に占有されたリソースを共に指示する場合、先に占有されたリソースに関する情報は、複数のスロットに関する情報まで拡張することができる。
【０１６６】
また別の実施例として、先に占有されたリソースに関する情報によって、特定区間内に先に占有されたリソースが始めて発生した開始スロットインデックス（ｓｔａｒｔｉｎｇ  ｓｌｏｔ  ｉｎｄｅｘ）を指示して、当該スロットから複数のスロット区間、又は特定区間内の先に占有されたリソースが発生したシンボルグループを指示することができる。具体的に、特定区間は、２個のスロットであり得て、よって先に占有されたリソースに関する情報は、スロットインデックスと複数のスロット内のシンボルグループに対するビットマップ又はパターン指示などによって、先に占有されたリソースを表示するものであってもよい。前記複数のスロット区間及び／又は特定区間は、基地局が上位層シグナリング及び／又はＤＣＩを介して指示するものであってもよい。或いは、前記複数のスロット区間及び／又は特定区間は、予め定義されたものであってもよい。
【０１６７】
また別の方式として、先に占有されたリソースに関する情報によって、特定区間内に先に占有されたリソースが始めて発生した開始シンボルインデックスを指示して、開始シンボルインデックスに対応するシンボルグループインデックスからスロットのように特定区間内に発生可能な先に占有されたリソースを表示することもできる。
【０１６８】
上述した実施例において、初期送信は一例に過ぎず、仮に先に占有されたリソースに対する指示子の送信周期が複数のスロットで設定され、当該スロット内で最初に発生した先に占有されたリソースに対する位置で上述した実施例の初期送信に対する位置の指示を取り替えることができる。
【０１６９】
すなわち、実際には、再送信に対する先に占有されたリソースであっても、前記再送信のために先に占有されたリソースに対する指示子を初期送信のために先に占有されたリソースを指示する方法によって指示して、その後、再送信のために先に占有されたリソースを、上述した実施例において再送信のために先に占有されたリソースを指示する方法によって指示するなど、実施例を拡張して適用することができる。
【０１７０】
一方、先に占有されたリソースを指示するとき、複数のスロットにわたって一度に指示することができ、これは、先に占有されたリソースに対する指示子が特定周期に送信されるときに有用であり得る。簡単には、特定領域に対してビットマップの形態で先に占有されたリソースを指示することもできる。このとき、ビットマップの形態で指示される特定領域は、基地局が別に指定するか、又は先に占有されたリソースに対する指示子の送信周期と同様に設定することができる。この詳細については、後述する。なお、ビットマップの形態で指示される特定領域は、前記特定区間に対応する時間領域と特定周波数領域とが組み合わされた形態で定義されることができる。
【０１７１】
ところが、上述した実施例によれば、特定領域が一定領域以上に大きく設定されるとき、大きい特定領域をビットマップの形態で指示する場合、前記指示子のシグナリングオーバーヘッドが過度になる可能性がある。
【０１７２】
これを補完するために、パターンの形態で指示することが考えられる。先に占有されたリソースに対応するＵＲＬＬＣトラフィックは、発生頻度が頻繁ではなく、よって特定区間内において、先に占有されたリソースが示される最大の回数が制限的であり得る。よって、特定領域に対するパターンは、指示された時間ドメイン細分性（ｔｉｍｅ−ｄｏｍａｉｎ  ｇｒａｎｕｌａｒｉｔｙ）に基づいて指定された、先に占有されたリソースの基本単位を基準として、特定領域内で一度だけ先に占有されたリソースが発生される場合のパターンを含むことができる。また、これと類似する方式として、特定領域内でＮ回だけの先に占有されたリソースが発生する場合のパターンを含むこともできる。このとき、前記Ｎの値は、１〜３又は特定領域のサイズのように、予め定められる値であってもよく、基地局が上位層シグナリング及び／又はＤＣＩを介して指示してもよく、グループ共通のＤＣＩのサイズによって設定されてもよい。
【０１７３】
具体的に、特定領域内に先に占有されたリソースが発生可能な時間単位の数がＭというとき、先に占有されたリソースを指示するためのビットフィールドのサイズは、Ｃｅｉｌ（ｌｏｇ２（ＣＯＭＢＩＮ（Ｍ，１）＋ＣＯＭＢＩＮ（Ｍ，２）＋…＋ＣＯＭＢＩＮ（Ｍ，Ｎ）））に設定されることができる。ＣＯＭＢＩＮ（ｐ，ｑ）は、ｐ!／（ｑ!＊（ｐ−ｑ）!）に定義されることができる。
【０１７４】
一方、上述した内容を要約すると、以下のようなオプションにまとめることができる。
【０１７５】
（１）オプション１：基準時間領域内で先に占有されたリソースをビットマップで指示する。
【０１７６】
（２）オプション２：基準時間領域内で先に占有されたリソースをパターンの形態で指示する。このとき、パターンは、基準時間領域内にＮ回発生する先に占有されたリソースまで指示することができる。
【０１７７】
（３）オプション３：先に占有されたリソース指示のための２ステップの過程を支援することができる。第１のステップは、基準時間領域内で先に占有されたリソースが始めて発生する１つ以上のスロットを指示する。また、第２のステップは、指示されたスロット内において先に占有されたリソースに対応するシンボルグループを指示する。
【０１７８】
ここで、オプション３は、オプション３−１とオプション３−２とに区分できる。オプション３−１は、第１のステップにおいて、基準時間領域内のスロットのうち１つを先に占有されたリソースが最初に発生するスロットとして選択する。また、第２のステップにおいて、指示されたスロットからＭスロット内に存在する先に占有されたリソースを含むシンボルグループをビットマップの形態で指示する。オプション３−２は、第１のステップはオプション３−１と同一であり、第２のステップにおいて、指示されたスロットからＭスロット内に存在する先に占有されたリソースがＮ回まで示されることをパターンの形態で指示する。
【０１７９】
（４）オプション４：先に占有されたリソース指示のための２ステップの過程を支援することができる。
【０１８０】
第１のステップは、基準時間領域内の先に占有されたリソースを含むスロットをビットマップを用いて指示することができる。第２のステップは、１つのスロット内の先に占有されたリソースを含むシンボルグループをビットマップを用いて指示して、この情報を第１のステップにおいて指示されたスロットに共通して適用する。
【０１８１】
図８は、上述した各オプション及び基準時間領域による、ビットフィールドサイズに関する実施例を示す。
【０１８２】
上述のように、ミニスロット／ミニスロットグループ又はシンボル／シンボルグループのような時間ドメインに対するインパクテッドリソースを別に又は組み合わせて、周波数ドメインにおけるインパクテッドリソースを指示することができる。次期システムでは、周波数ドメインリソースを表現するための方法として、設定又は指示されたＲＢＧ（Ｒｅｓｏｕｒｃｅ  Ｂｌｏｃｋ  Ｇｒｏｕｐ）サイズに応じて、ビットマップ又はパターンの形態を表現することができ、或いは、設定又は指示された特定値Ｎに応じて、帯域幅部分（Ｂａｎｄｗｉｄｔｈ  ｐａｒｔ；ＢＷＰ）又はシステム帯域幅を等分して、前記等分された区域によって、ビットマップ又はパターンの形態でインパクテッドリソースを指示することもできる。
【０１８３】
インパクテッドリソースは、ＵＲＬＬＣ送信に使用されるＰＤＳＣＨに対するリソースに基づいて指示されてもよく、前記ＰＤＳＣＨをスケジュールするためのＰＤＣＣＨリソースをさらに含み、これに基づいてインパクテッドリソースが指示されてもよい。また、複数のミニスロット又はシンボル／シンボルグループにおいてインパクテッドリソースを指示するというとき、周波数ドメインで指示されるインパクテッドリソースは、複数のミニスロット又はシンボル／シンボルグループにおけるインパクテッドリソースの和集合を含む形態であってもよい。
【０１８４】
例えば、周波数ドメインにおいて連続又は非連続するＮ  ＰＲＢに対するインパクテッドリソースが指示され、時間ドメインにおいて連続又は非連続するＭシンボルに対するインパクテッドリソースが指示される場合、最終のインパクテッドリソースは、指示されたＭシンボルごとに指示されたＮ  ＰＲＢで構成されることができる。すなわち、インパクテッドリソースは、Ｎ＊Ｍ個のリソース要素で構成されることができる。しかし、この方式は、不要に多いインパクテッドリソースに対する設定を要求する可能性があり、インパクテッドリソースを含むＰＤＳＣＨのデコーディング性能劣化及び／又は再送信時に要求されるリソース増加を引き起こす可能性がある。
【０１８５】
一方、これを緩和するために、ミニスロット／ミニスロットグループ又はシンボル／シンボルグループ別に周波数ドメインリソースを独立して設定することができる。具体的に、周波数ドメインにおけるインパクテッドリソース指示値は、単一又は複数のミニスロット／ミニスロットグループ別、又はシンボル／シンボルグループ別に指示されることができる。さらに、スロット内において特定時点以前のシンボル／シンボルグループに対する周波数ドメインインパクテッドリソース指示値と、その他のシンボル／シンボルグループに対する周波数ドメインインパクテッドリソース指示値が別に存在してもよい。
【０１８６】
一方、上述した方法は、選択されたシンボル／シンボルグループが特定閾値以上の場合に限られることができる。特に、特定閾値は、全体のシンボルグループが選択された場合に限られてもよい。或いは、上述した方法において、特定の開始シンボルから特定の順番までのシンボル／シンボルグループに対して周波数ドメインインパクテッドリソースの指示値を別に設定することができる。具体的に、先に占有されたリソースに対する指示が時間軸にＭ番目の先に占有されたリソースの発生を指示するとき、周波数ドメインリソース指示もＭ番目であり得る。このとき、それぞれの周波数リソース指示は、それぞれの先に占有されたリソース発生に対応されることができる。
【０１８７】
さらに、先に占有されたリソースの指示は、基本的に、１つ又は２つの先に占有されたリソースの発生を表現することができ、２つの周波数リソース指示フィールドでそれぞれの先に占有されたリソースを指示することができる。例えば、先に占有されたリソースの指示が全てのシンボルグループを指示した場合には、２つの周波数リソース指示が、それぞれ基準時間リソースの前部の半分と後部の半分に対する周波数リソースを指示することができる。また、２つの周波数リソース指示フィールドを１つに合わせて単一周波数リソース指示として使用することができる。上述した例示は、周波数ドメイン細分性（ｆｒｅｑｕｅｎｃｙ−ｄｏｍａｉｎ  ｇｒａｎｕｌａｒｉｔｙ）をより明確にできるというメリットがある。同様に、先に占有されたリソースの指示が１回発生する先に占有されたリソースを指示する場合、２つの周波数リソース指示フィールドを１つに合わせて、単一周波数リソース指示として使用することもできる。このような方式のメリットは、制限されたペイロードサイズを用いて、先に占有されたリソースの指示を行うとき、除去（ｆｌｕｓｈｅｄ）されるビットを減少させることができる。
【０１８８】
図９は、上述のように、先に占有されたリソースを指示する実施例を示す図であり、図９（ａ）は、時間／周波数ビットマップを用いる場合、図９（ｂ）は、パターン方式の指示を行う場合である。すなわち、図９を参照すると、図９（ａ）のように、ビットマップを用いる場合、制限されたビット数で全ての時間／周波数領域の先に占有されたリソースの有無を表現する必要があるため、細分化が少なくなり、よって不要に除去されるビットが多く発生する可能性がある。しかし、図９（ｂ）のように、パターン形成を用いる場合、１つのパターンをＮ回使用することができ、細分化が多くなり、不要に除去されるビットが少なくなり得る。
【０１８９】
ただし、図９（ｂ）の場合、限定された特定部分に対するリソースの先の占有の有無のみを示すため、その表現の精度がビットマップより低い可能性がある。よって、全区画の先の占有の有無の精度を高めるためには、図９（ａ）のように、ビットマップを使用することが好ましい場合がある。
【０１９０】
また、ビットマップの形態で先に占有されたリソースの有無を表現する場合には、各区画に対する先の占有の有無をそれぞれ指示するため、各リソースの先の占有の有無が動的に変化する場合、ビットマップ形態を使用することが好ましい。
【０１９１】
次期システムにおいて、ミニスロット／ミニスロットグループ又はシンボル／シンボルグループは、基地局がＲＲＣシグナリング及び／又はＤＣＩを介して指示することができる。特に、基地局は、時間ドメイン細分性（ｔｉｍｅ−ｄｏｍａｉｎ  ｇｒａｎｕｌａｒｉｔｙ）と周波数ドメイン細分性（ｆｒｅｑｕｅｎｃｙ  ｄｏｍａｉｎ  ｇｒａｎｕｌａｒｉｔｙ）に対する組み合わせを指示することができる。しかし、この場合、先に占有されたリソース指示の対象となる基準周波数領域サイズが変化されるにつれて、また別の時間及び周波数細分性（ｇｒａｎｕｌａｒｉｔｙ）に対する組み合わせが要求され得る。
【０１９２】
例えば、特定方向の細分性（ｇｒａｎｕｌａｒｉｔｙ）を基地局が指示して、他の方向の細分性は、先に占有されたリソース指示に対するペイロードサイズに基づいて計算される。このとき、特定方向の細分性（ｇｒａｎｕｌａｒｉｔｙ）は、時間ドメイン細分性（ｇｒａｎｕｌａｒｉｔｙ）であり、他の方向の細分性（ｇｒａｎｕｌａｒｉｔｙ）は、周波数ドメインの細分性（ｇｒａｎｕｌａｒｉｔｙ）であってもよい。具体的に、先に占有されたリソース指示のペイロードサイズがＰであり、時間ドメイン細分性（ｇｒａｎｕｌａｒｉｔｙ）はＫシンボルに細分化（ｇｒａｎｕｌａｒｉｔｙ）され、基準時間領域のサイズは、Ｔシンボルであり、基準周波数領域サイズがＦ  ＰＲＢｓである場合、周波数ドメイン細分性（ｇｒａｎｕｌａｒｉｔｙ）は、
0006949962.tif 000006
及び／又は
0006949962.tif 000007
によって決定されることができる。
【０１９３】
しかし、このような細分性（ｇｒａｎｕｌａｒｉｔｙ）方式は、不要な周波数細分性（ｇｒａｎｕｌａｒｉｔｙ）を生成する可能性があり、これはまた先に占有されたリソース指示の効率を下げることもある。このような効率軽減を緩和するために、前記周波数ドメイン細分性（ｇｒａｎｕｌａｒｉｔｙ）は、前記計算された数式から予め設定された集合内の最も近い値を選択するものであってもよい。
【０１９４】
また別の実施例として、時間及び周波数細分性（ｇｒａｎｕｌａｒｉｔｙ）の代わりに、基準リソース内の時間ドメイン分割区画（ｔｉｍｅ  ｄｏｍａｉｎ  ｐａｒｔｉｔｉｏｎ）数と、周波数ドメイン分割区画（ｆｒｅｑｕｅｎｃｙ−ｄｏｍａｉｎ  ｐａｒｔｉｔｉｏｎ）数の組み合わせを基地局が指示することができる。或いは、基準リソースに対する時間及び周波数細分性（ｇｒａｎｕｌａｒｉｔｙ）の比率を基地局が設定することもできる。例えば、時間ドメインに対しては細分性（ｇｒａｎｕｌａｒｉｔｙ）を指示して、設定された比率によって周波数細分性（ｇｒａｎｕｌａｒｉｔｙ）を算出することもできる。
【０１９５】
ここで、基準リソース内の時間ドメイン分割区画及び／又は周波数ドメイン分割区画の数に関連して、実際に先に占有されたリソース指示情報を構成する方法に関する具体的な実施例について説明する。先に占有されたリソースに対する基準時間領域サイズは、時間ドメイン分割区画数の倍数ではなくてもよく、この場合、先に占有されたリソース指示情報を構成するとき、時間ドメイン細分性（ｔｉｍｅ−ｄｏｍａｉｎ  ｇｒａｎｕｌａｒｉｔｙ）をどのように構成するかを決定する必要がある。よって、以下、時間ドメイン細分性（ｇｒａｎｕｌａｒｉｔｙ）構成の決定方法について説明する。説明の便宜のために、基準時間領域（Ｒｅｆｅｒｅｎｃｅ  ｔｉｍｅ  ｒｅｇｉｏｎ）のサイズをＴシンボルとして、時間ドメイン分割区画数をＭであると仮定する。
【０１９６】
実施例４−１
【０１９７】
仮に、基準時間領域が複数のスロットにわたって送信される場合、先に占有されたリソースに対する指示も複数のスロットにわたって行われる。例えば、各分割区画の時間ドメインサイズは、
0006949962.tif 000008
又は
0006949962.tif 000009
で構成されることができる。すなわち、分割区画間のサイズの差は、最大１シンボルまで差が生じ得る。
【０１９８】
具体的に、
0006949962.tif 000010
のサイズを有する分割区画数は、
0006949962.tif 000011
個であり、
0006949962.tif 000012
のサイズを有する分割区画数は、
0006949962.tif 000013
個であってもよい。上述した分割区画数を他の方式で表現すれば、
0006949962.tif 000014
のサイズを有する分割区画数は、
0006949962.tif 000015
個であってもよく、
0006949962.tif 000016
のサイズを有する分割区画数は、
0006949962.tif 000017
個であってもよい。
【０１９９】
このとき、時間ドメイン細分性（ｇｒａｎｕｌａｒｉｔｙ）又は分割区画の時間ドメインサイズを２、４、７シンボルなどの特定値（Ｋ’候補）に制限してもよい。換言すれば、Ｍ＊Ｋ＞＝Ｔを満たす最小のＫを決定して、Ｋ’の候補である２、４、７シンボルのうち、Ｋ’＜Ｋを満たす最大のＫ’を選択することができる。例えば、Ｋが７と決定される場合、Ｋ’は４であり得る。ΔＫは、Ｋ−Ｋ’で定義することができ、この場合、サイズがＫ’である分割区画数は
0006949962.tif 000018
個であり、サイズがＫである分割区画のサイズは、
0006949962.tif 000019
個であり得る。
【０２００】
仮に、基地局が基準時間領域と時間ドメイン細分性（ｇｒａｎｕｌａｒｉｔｙ）との比率を指示する形態である場合、当該比率の値は１／Ｍの倍数として指示されることができ、実施例４−１において説明した方式を拡張して適用することができる。
【０２０１】
実施例４−２
【０２０２】
仮に、基準時間領域が複数のスロットにわたって送信される場合にも、先に占有されたリソースに対する指示は、１つのスロットを基準として行われる。すなわち、指示子によって指示される先に占有されたリソースは、１つのスロット境界を越えないように設定される。
【０２０３】
例えば、基準時間領域を構成するスロットの数がＰというとき、分割区画数Ｍを各スロットごとに分配することができる。具体的に、各スロットの分割区画数は、
0006949962.tif 000020
又は
0006949962.tif 000021
であってもよく、各々のスロットの数は
0006949962.tif 000022
だけの分割区画を有するスロットが
0006949962.tif 000023
個であり、
0006949962.tif 000024
だけの分割区画を有するスロットが
0006949962.tif 000025
個であってもよい。このとき、各分割区画のサイズは、各スロットごとに各スロット内のシンボル数と各スロット内の分割区画数に基づいて、上述した実施例４−１の方式によって計算してもよい。
【０２０４】
上述した方式は、実際に先の占有を仮定するデータ送信の形態によって、適するオプションが異なってもよい。また、分割区画の数で表現される場合の他に、比率で表現される場合にも、上述した方式を拡張して適用することができる。
【０２０５】
一方、先の占有に対する基準周波数領域サイズは、周波数ドメイン分割区画数の倍数ではなくてもよく、この場合、先に占有されたリソース指示情報を構成するとき、周波数ドメイン細分性（ｆｒｅｑｕｅｎｃｙ−ｄｏｍａｉｎ  ｇｒａｎｕｌａｒｉｔｙ）をどのように構成するかを決定する必要がある。よって、以下、周波数ドメイン細分性（ｇｒａｎｕｌａｒｉｔｙ）構成の決定方法について説明する。説明の便宜のために、基準周波数領域のサイズをＦ  ＰＲＢｓ又はＦ  ＲＢＧｓとして、周波数ドメイン分割区画数をＮであるとする。
【０２０６】
実施例５−１
【０２０７】
各分割区画の周波数ドメインサイズは、
0006949962.tif 000026
又は
0006949962.tif 000027
で構成される。すなわち、分割区画間のサイズの差は、最大１ＰＲＢ又は１ＲＢＧの差があり得る。具体的に、
0006949962.tif 000028
のサイズを有する分割区画数は
0006949962.tif 000029
個であり、
0006949962.tif 000030
のサイズを有する分割区画数は
0006949962.tif 000031
個であり得る。上述した分割区画数を別の方式で表現すると、
0006949962.tif 000032
のサイズを有する分割区画数は
0006949962.tif 000033
個であり、
0006949962.tif 000034
のサイズを有する分割区画数は
0006949962.tif 000035
個であり得る。
【０２０８】
このとき、周波数ドメイン細分性（ｇｒａｎｕｌａｒｉｔｙ）又は分割区画の周波数ドメインサイズを特定値に制限してもよい。このとき、この特定値は１、２、４、８のような２の累乗個のＲＢＧサイズのうち１つの値に設定されてもよい。この場合、Ｎ＊Ｋ＞＝Ｆを満たす最小のＫを選択し、またＫ’＜Ｋを満たす最大のＫ’を選択する。例えば、Ｋが８である場合、Ｋ’は４であり得る。ΔＫはＫ−Ｋ’と定義することができ、この場合、サイズがＫ’である分割区画数は
0006949962.tif 000036
個であり、サイズがＫである分割区画のサイズは
0006949962.tif 000037
であり得る。
【０２０９】
仮に、基地局が基準周波数領域と周波数ドメイン細分性（ｇｒａｎｕｌａｒｉｔｙ）との比率を指示する形態である場合、当該比率の値は、１／Ｎの倍数形態で指示されるものと仮定することができ、実施例３−１において上述した方式を拡張して適用することができる。
【０２１０】
実施例５−２
【０２１１】
細分化（ｇｒａｎｕｌａｒｉｔｙ）された分割区画のうち、１つを除いた各分割区画の周波数ドメインサイズは、
0006949962.tif 000038
又は
0006949962.tif 000039
で構成され、その他の分割区画のサイズは、
0006949962.tif 000040
又は
0006949962.tif 000041
で構成される。
【０２１２】
仮に、基地局が基準周波数領域と周波数ドメイン細分性（ｇｒａｎｕｌａｒｉｔｙ）との比率を指示する形態である場合、当該比率の値は、１／Ｎの倍数形態で指示されるものと仮定することができ、実施例３−２において上述した方式を拡張して適用することができる。
【０２１３】
また、上述した実施例４−１及び４−２は、分割区画数で表現される場合の他に、比率で表現される場合にも上述した方式を拡張して適用することができる。
【０２１４】
一方、インパクテッドリソースを指示するとき、時間及びドメインリソースの組み合わせで指示することができる。例えば、時間及び周波数リソースの組み合わせによって、予め又は上位層シグナリングを介してインパクテッドリソース指示値の候補が設定され、先に占有されたリソースの指示のための信号を介して前記設定された候補のうち１つ又は複数の候補を指示することができる。
【０２１５】
指示信号は、互いに異なるサービス要求及び／又はスケジューリング単位を有する異なるサービスに対するデータトラフィックを送受信することにおいて、効率的なリソースの配分及び使用、また復調及びデコーディングのために必要な情報であってもよい。よって、前記指示信号がまた別の信号によって影響を受ける場合、又はＵＥが当該信号検出に失敗する場合には、全体処理量（ｔｈｒｏｕｇｈｐｕｔ）の観点からも劣化が生じる可能性がある。よって、指示信号に対する信頼性を増大させるために、同一又は重畳される情報を含む指示信号を数回繰り返して送信することが考えられる。
【０２１６】
例えば、ミニスロット／ミニスロットグループ別に送信する指示信号は、これに関連するミニスロット／ミニスロットグループに関する情報を含むことができる。具体的に、現在、ミニスロット／ミニスロットグループが下りリンクミニスロット／ミニスロットグループである場合、指示信号は、現在、ミニスロット／ミニスロットグループに関する情報を含んでもよい。一方、現在、ミニスロット／ミニスロットグループが上りリンクミニスロット／ミニスロットグループである場合、特定時点以後のミニスロット／ミニスロットグループに関する情報、及び現在時点より以前時点及び／又は以後時点に対するインパクテッドリソースに関する情報を含んでもよい。すなわち、ミニスロット／ミニスロットグループ別に送信される指示信号は、同一スロット内において現在時点までのミニスロット／ミニスロットグループに対するインパクテッドリソースを含んでもよい。一方、インパクテッドリソースが発生した時点から以後のインパクテッドリソースの発生有無には関係なく、指示信号を送信することもできる。
【０２１７】
別の方式としては、ミニスロット／ミニスロットグループ別にインパクテッドリソースの有無のように簡単な情報を含む指示信号を送信して、スロットの最後のミニスロットに、スロット内にインパクテッドリソースが存在する場合、当該スロットに対するインパクテッドリソース情報を含む指示信号をさらに送信することができる。このとき、さらに送信する指示信号は、複数のミニスロット／ミニスロットグループに対するインパクテッドリソース情報を含んでもよく、この場合、ＵＥが一部の指示信号を検出できなかった場合にも、他の指示信号を介してインパクテッドリソースに対する復調及びデコーディングを行うことができる。
【０２１８】
一方、指示信号は、先に占有されたリソースに対する指示情報のみで構成された信号と、ＰＤＳＣＨ又はＰＵＳＣＨをスケジュールするＤＣＩ内のソフトバッファーハンドリング指示子（ｓｏｆｔ−ｂｕｆｆｅｒ  ｈａｎｄｌｉｎｇ  ｉｎｄｉｃａｔｏｒ）の形態で送信されることができる。具体的に、先に占有されたリソース指示子は、インパクテッドリソースを時間及び／又は周波数リソースの形態で表現することができ、ソフトバッファーハンドリング指示子（ｓｏｆｔ−ｂｕｆｆｅｒ  ｈａｎｄｌｉｎｇ  ｉｎｄｉｃａｔｏｒ）は、送信ブロック又はコードブロックグループ別にインパクテッドリソースを表現するものの、当該値に応じてソフトバッファー内の損傷されたコードビット（ｃｏｒｒｕｐｔｅｄ  ｃｏｄｅｄ  ｂｉｔｓ）を区分して、ＵＥは当該ビットを除去（ｆｌｕｓｈ）することができる。
【０２１９】
ここで、前記複数の先に占有されたリソース指示情報に基づいて、その後、ソフトバッファーから除去可能な損傷されたコードビットを特定する方法に関する実施例について説明する。
【０２２０】
実施例６−１
【０２２１】
先に占有されたリソース指示子とソフトバッファーハンドリング指示子のうち、時間上で後で送った情報に基づいて、損傷されたコードビットを設定する。２つの指示子の両方とも基地局が指示及び送信する情報であるため、インパクテッドリソースに関する情報を更新するために、２つの指示子を繰り返して複数回送信することが有用であり得る。
【０２２２】
実施例６−２
【０２２３】
特定指示子を常に優先して損傷されたコードビットの特定に使用することができる。具体的に、ＰＤＳＣＨ又はＰＵＳＣＨをスケジュールするＤＣＩ内のソフトバッファーハンドリング指示子を常に優先することができる。基地局が先に占有されたリソース指示子を送信しながらもソフトバッファーハンドリング指示子を支援するということは、基地局がソフトバッファーハンドリング指示子を活用するためとして見なすことができ、よってソフトバッファーハンドリング指示子を使用しないことは不要な設定である可能性がある。
【０２２４】
実施例６−３
【０２２５】
先に占有されたリソース指示子の情報とソフトバッファーハンドリング指示子の情報、及び／又は指示されたコードブロックグループ情報をまとめて、損傷されたコードビットを特定することができる。具体的に、２つの指示情報が指示するコードビットの共通部分又は和集合に基づいて損傷されたコードビットを特定することができる。
【０２２６】
実施例６−４
【０２２７】
ソフトバッファーハンドリング指示子値に応じて先に占有されたリソース指示子を利用するか否かが変わる。例えば、ソフトバッファーハンドリング指示子が使用可能ではない場合（ｄｉｓａｂｌｅｄ）には、先に占有されたリソース指示子の情報に基づいて損傷されたコードビットを特定する。この場合、先に占有されたリソースと関係のあるコードビットと、その他のコードビットに対するソフトバッファー結合（ｓｏｆｔ−ｂｕｆｆｅｒ  ｃｏｍｂｉｎｇ）又はソフトバッファー除去（ｓｏｆｔ−ｂｕｆｆｅｒ  ｆｌｕｓｈｉｎｇ）の可否を異ならせて実行できるという点において有用である。ソフトバッファーハンドリング指示子が使用可能な場合（ｅｎａｂｌｅｄ）、ソフトバッファーハンドリング指示子値に基づいて、損傷されたコードビットを特定することもでき、先に占有されたリソース指示子の情報とソフトバッファーハンドリング指示子の情報、及び／又は指示されたコードブロックグループ情報をまとめて損傷されたコードビットを特定することもできる。
【０２２８】
一方、指示信号は、先に占有されたリソースによって特定信号送信に影響を受けるＵＥ別に基地局によって送信されることができる。この場合、各ＵＥは、それぞれ割り当てられたリソースを介して指示信号の検出を試みることができ、それぞれの情報に基づいて下りリンク受信又は上りリンク送信を適宜に行うことができる。
【０２２９】
一方、指示信号は、ＵＥグループ共通に（ＵＥ  ｇｒｏｕｐ−ｃｏｍｍｏｎ）送信されてもよく、この場合、複数のＵＥがＵＥグループ特有（ＵＥ−ｇｒｏｕｐ−ｓｐｅｃｉｆｉｃ）にリソースにおいて指示信号の検出を試みることができ、前記指示信号に含まれた情報とスケジューリング情報に基づいて、下りリンク受信又は上りリンク送信を適宜に行うことができる。
【０２３０】
後述する実施例は、ＵＥ特有指示信号を送信するためのリソースを設定する方法に関するものである。
【０２３１】
実施例７−１
【０２３２】
インパクテッドリソースを含むＰＤＳＣＨに対するスケジューリング情報に連動して、指示信号用リソースが設定される。例えば、指示信号に対するリソースは、インパクテッドリソースを含むＰＤＳＣＨリソースの一部及び／又は前記ＰＤＳＣＨリソースの周辺リソースであってもよい。このとき、前記ＰＤＳＣＨリソースの周辺リソースは、周波数軸で上／下のＰＲＢ又はＰＲＢグループであってもよい。前記ＰＤＳＣＨリソースの一部に指示信号がマッピングされる場合、予め設定された規則によって指示信号がマッピングされるリソースが決定されるか、又は上位層シグナリングを介して設定される１つ以上の候補リソースのうち、インパクテッドリソースを含むＰＤＳＣＨリソース内部にある候補リソースとして選択することができる。このとき、上述した予め設定された規則は、最低の及び／又は最高のインデックスを有する周波数に指示信号がマッピングされるものであってもよい。
【０２３３】
実施例７−２
【０２３４】
インパクテッドリソースを含むＰＤＳＣＨとは別に、独立して基地局が上位層又はＤＣＩを介して指示信号が送信されるリソース領域を設定することができる。すなわち、指示信号が送信されるリソースは、ＵＥ特有に指定されるものの、複数の指示信号間においてＣＤＭを支援することで、設定によってリソースを効率的に使用できるようにする。
【０２３５】
一方、指示信号とＰＤＳＣＨに対して一部のリソースが重なる場合が発生することがあり、前記指示信号とＰＤＳＣＨが同一のＵＥのためのものである場合、当該ＰＤＳＣＨに対して指示信号送信のためのリソースをパンクチャリングするか、レートマッチングすることができる。特定ＵＥの指示信号のためのリソースがＭＵ−ＭＩＭＯなどで他のＵＥに対するＰＤＳＣＨと重なる場合、特定ＵＥにパンクチャリング及び／又はレートマッチングの対象となる候補リソース集合を基地局が別に上位層シグナリング又はＤＣＩを介して指示してもよく、当該候補リソース集合に対して指示信号の送信有無には関係なく、パンクチャリング及び／又はレートマッチングを行うことができる。
【０２３６】
具体的に、前記候補リソース集合は、複数のＵＥ特有指示信号に対するリソースの上位集合（ｓｕｐｅｒｓｅｔ）であってもよい。このとき、前記ＰＤＳＣＨは、スケジューリング単位が相対的に長いｅＭＢＢに対するＰＤＳＣＨであってもよく、スケジューリング単位が相対的に短いＵＲＬＬＣに対するＰＤＳＣＨであってもよい。また、ＰＤＳＣＨがＵＲＬＬＣ  ＰＤＳＣＨである場合には、指示信号もパンクチャリングされることを考慮してもよく、この場合、スケジューラーが２つの信号間の重畳が最小になるようにリソースを割り当てることができる。
【０２３７】
特に、ＵＲＬＬＣデータのみ送信され、ｅＭＢＢデータは送信されない場合、ＵＲＬＬＣデータが指示信号又は予約されたリソースに対するレートマッチング又はパンクチャリング可否を基地局が上位層シグナリング又はＵＲＬＬＣスケジューリングＤＣＩを介して指示することもできる。
【０２３８】
指示信号は、ＵＥグループ共通の信号であってもよく、このとき、上位層シグナリングを介して指示信号に対する候補リソースをグループ共通に設定することができる。また、指示信号は、各サブバンド別に、又はＰＲＢグループ別に、リソースを割り当てて送信することができる。すなわち、広帯域動作（Ｗｉｄｅｂａｎｄ  ｏｐｅｒａｔｉｏｎ）を支援するセル（ｃｅｌｌ）に対して、特定ＵＥは、一部のサブバンドのみで信号の送受信を行う場合もあり得る。よって、この場合、複数の周波数リソースに対する指示信号が送信される必要があることもある。このとき、前記複数の周波数リソースに対する指示信号を介して送信される情報は、当該信号が送信されるサブバンド又はＰＲＢグループに対するインパクテッドリソースに関する情報であってもよい。ここで、インパクテッドリソースに関する情報とは、インパクテッドリソースの存否、又はいずれのリソースがインパクテッドリソースとして設定されるかに関する情報を示してもよい。
【０２３９】
また、信頼性を高めるために、又は指示信号検出の試みを減らすために、各サブバンド又はＰＲＢグループ別に送信される指示信号に複数のサブバンド又はＰＲＢグループに対するインパクテッドリソース情報を含んでもよい。
【０２４０】
一方、指示信号とＰＤＳＣＨに対する一部のリソースが重なる場合が発生する可能性があり、この場合、指示信号のために予約されたリソースの送信有無には関係なく、パンクチャリング又はレートマッチングを行うことができる。或いは、基地局がＰＤＳＣＨを送信するとき、実際に指示信号が送信されたリソースに対してのみパンクチャリング又はレートマッチングを行うこともできる。この場合、ＵＥは、グループ共通指示信号の検出結果によって受信された信号のための一部のリソースが指示信号によってパンクチャリング又はレートマッチングされたかを認識することができる。
【０２４１】
このとき、前記ＰＤＳＣＨは、スケジューリング単位が相対的に長いｅＭＢＢに対するＰＤＳＣＨであってもよく、スケジューリング単位が相対的に短いＵＲＬＬＣに対するＰＤＳＣＨであってもよい。また、前記ＰＤＳＣＨがＵＲＬＬＣ  ＰＤＳＣＨである場合、指示信号もパンクチャリングされることを考慮してもよく、この場合、スケジューラーが２つの信号間の重畳が最小になるようにリソースを割り当てることができる。
【０２４２】
一方、次期システムでは、先に占有されたリソース指示信号をグループ共通ＤＣＩを介して送信することを考慮している。このとき、グループ共通ＤＣＩの送信周期、モニタリング周期又はモニタリング区間（ｍｏｎｉｔｏｒｉｎｇ  ｏｃｃａｓｉｏｎ）がスロットより大きく設定されてもよい。この場合、１つの先に占有されたリソース指示信号が指示可能な時間及び／又は周波数領域を基準領域（ｒｅｆｅｒｅｎｃｅ  ｒｅｇｉｏｎ）と呼ぶことができ、このような基準領域に対してそれぞれのドメイン別に適宜値を設定することができる。
【０２４３】
好ましくは、基準時間領域の場合、基本的に、先に占有されたリソース指示信号に対するモニタリング周期より大きいか同一に設定される必要がある。仮に、先に占有されたリソース指示信号に対するモニタリング周期より基準時間領域が小さい場合、先に占有されたリソース指示信号を介して表現できない領域が発生して、リソースを先に占有したことによる性能劣化の減少に限界がある可能性がある。
【０２４４】
以下、基準時間領域を設定する具体的な実施例について説明する。
【０２４５】
実施例８−１
【０２４６】
基準時間領域は、先に占有されたリソース指示信号に対するモニタリング周期と同一に設定されてもよい。しかし、モニタリング周期が短く設定された場合、先に占有されたリソース指示シグナリングに対するスケジューリングの柔軟性が減少する可能性がある。
【０２４７】
よって、図１０（ａ）のように、基本的には、基準時間領域が先に占有されたリソース指示信号のモニタリング周期値によって設定されるものの、下限値が存在して、先に占有されたリソース指示信号のモニタリング周期が特定閾値以下である場合には、図１０（ｂ）のように、基準時間領域が特定値に設定される。ここで、前記特定値は、固定値であってもよく、ＨＡＲＱ  ＲＴＴの最大値又は最小値であってもよい。
【０２４８】
また、図１０（ａ）、（ｂ）において、Ｐは先に占有されたリソース指示信号のモニタリング周期を示し、Ｘは特定閾値を意味する。
【０２４９】
実施例８−２
【０２５０】
基準時間領域は、先に占有されたリソース指示信号に対するモニタリング周期のＫ倍数に設定されるものであってもよい。Ｋは、基地局が上位層シグナリング及び／又はＤＣＩを介して指示することができる。
【０２５１】
実施例８−３
【０２５２】
基本的に、先に占有されたリソース指示信号は、先に占有されたリソースを含む下りリンク送信に対応する再送信より遅くならないように送信される必要がある。
【０２５３】
よって、基準時間領域も、図１１（ａ）のように、ＨＡＲＱ  ＲＴＴ（Ｒｏｕｎｄ  Ｔｒｉｐ  Ｔｉｍｅ）に基づいて設定されるか、下りリンクデータ−ｔｏ−ＨＡＲＱ−ＡＣＫフィードバックタイミングに基づいて設定されることができる。ここで、ＨＡＲＱ  ＲＴＴは初期送信と、前記初期送信に対応する再送信間の時点差が最小値になる時間を意味してもよい。
【０２５４】
一方、次期システムでは、スケジューリングタイミングが動的に変更されてもよく、先に占有されたリソース指示信号は、グループ共通に構成することができる。よって、基準時間領域は、ＨＡＲＱ  ＲＴＴ又は下りリンクデータ−ｔｏ−ＨＡＲＱ−ＡＣＫフィードバックタイミングとして可能な値のうち、最小値／最大値／基本設定（ｄｅｆａｕｌｔ）値に設定されることができる。
【０２５５】
実施例８−４
【０２５６】
基準時間領域は、先に占有されたリソース指示信号に対するモニタリング周期とＨＡＲＱ  ＲＴＴ又は下りリンクデータ−ｔｏ−ＨＡＲＱ−ＡＣＫフィードバックタイミングを基準として設定される。
【０２５７】
具体的に、基準時間領域は、先に占有されたリソース指示信号に対するモニタリング周期とＨＡＲＱ  ＲＴＴ又は下りリンクデータ−ｔｏ−ＨＡＲＱ−ＡＣＫフィードバックタイミング値のうち最大値を基準として設定される。次期システムでは、スケジューリングタイミングが動的に変更されてもよく、よって基準時間領域は、前記ＨＡＲＱ  ＲＴＴ又は下りリンクデータ−ｔｏ−ＨＡＲＱ−ＡＣＫフィードバックタイミングとして可能な値のうち、最小値／最大値／基本設定（ｄｅｆａｕｌｔ）値に設定されることができる。
【０２５８】
基準周波数領域の場合には、基地局が上位層シグナリングを介して開始／終了／区間などを指示することができる。
【０２５９】
先に占有されたリソース指示信号を受信するＵＥは、各々のＵＥのために設定された帯域幅部分（Ｂａｎｄｗｉｄｔｈ  ｐａｒｔ；ＢＷＰ）が異なってもよく、よって周波数ドメインリソースに対するインデックシングも異なり得る。一方、先に占有されたリソース指示信号は、グループ共通に送信されるため、先に占有されたリソースを周波数軸に対する先に占有されたリソースを指示する場合には、当該先に占有されたリソースに対するインデックシングもグループ共通にする必要がある。例えば、基準周波数領域に設定された領域を始めに最低の周波数領域から昇順にナンバーリング又はインデックシングを行うことができる。或いは、当該搬送波内のグループ共通インデックシングをそのまま受け続いて使用することもできる。
【０２６０】
＜Ｓｃｅｌｌに対する先に占有されたリソース指示方法＞
【０２６１】
次期システムでは、複数のセルに対する先に占有されたリソース指示が単一ＤＣＩに結合エンコード（ｊｏｉｎｔ  ｅｎｃｏｄｉｎｇ）されて送信されることができる。この場合、各セルの先に占有されたリソース指示のそれぞれに対する基準リソース（ｒｅｆｅｒｅｎｃｅ  ｒｅｓｏｕｒｃｅ）が割り当てられることができる。ＰＣｅｌｌ又は当該ＤＣＩが送信されるサービングセルに対する基準リソースは、時間軸では以前のモニタリング時点の最初のシンボルから、現在のモニタリング時点の最初のシンボル以前のシンボルまでの領域に設定するものであってもよく、さらに、ＵＬ−ＤＬ−ｃｏｎｆｉｇｕｒａｔｉｏｎ−ｃｏｍｍｏｎによって上りリンクで指示されたシンボルは除外するものであってもよい。周波数軸には当該ＤＣＩが送信される下りリンク帯域幅部分（Ｂａｎｄｗｉｄｔｈ  Ｐａｒｔ；ＢＷＰ）と同一であると仮定することができる。
【０２６２】
一方、ＳＣｅｌｌ又は先に占有されたリソース指示において、他のセルで送信されるサービングセルに対する基準リソースを定義する必要がある。
【０２６３】
時間軸ではＤＣＩのモニタリング周期に基づいて設定された、絶対的な時間区間、すなわち固定した値に設定される基準リソースが全てのサービングセルで同一に設定されることができる。すなわち、サービングセル別にニューマロロジーが異なる場合、互いに異なるニューマロロジーに基づいてスケーリングを行うことができる。
【０２６４】
例えば、先に占有されたリソース指示子（Ｐｒｅ−ｅｍｐｔｉｏｎ  Ｉｎｄｉｃａｔｏｒ；ＰＩ）を含むＤＣＩに対して周期がＴ、ニューマロロジー設定がｕ＿ｒｅｆと仮定する。また、特定サービングセルに対してニューマロロジー設定がｕであるとき、基準時間領域は、以前の周期の
0006949962.tif 000042
シンボル又は
0006949962.tif 000043
シンボルを含んでもよい。
【０２６５】
具体的に、先に占有されたリソース指示フィールドに対応するサービングセルの副搬送波間隔が実際に先に占有されたリソース指示送信に対応する副搬送波間隔より小さい場合には、前記先に占有されたリソース指示フィールドは、実際に先に占有されたリソース指示送信に対応する副搬送波間隔に設定されることができる。この場合、ＵＥは、指示されたシンボルと重なる実際のシンボルが先に占有（ｐｒｅ−ｅｍｐｔｅｄ）されたと仮定する。
【０２６６】
一方、前記基準時間領域において、単一セル（ｓｉｎｇｌｅ  ｃｅｌｌ）の場合のように、上りリンクシンボルを除外することを考慮してもよい。しかし、ＳＣｅｌｌがＵＬ−ＤＬ−ｃｏｎｆｉｇｕｒａｔｉｏｎ−ｃｏｍｍｏｎを受信できない場合があり、よってＰＣｅｌｌ又は先に占有されたリソース指示を含むＤＣＩが送信されるサービングセルに対する基準時間領域ではＵＬ−ＤＬ−ｃｏｎｆｉｇｕｒａｔｉｏｎ−ｃｏｍｍｏｎに基づいて、上りリンクシンボルを除外しても、他のサービングセルに対してはさらに除外するシンボルがないこともある。
【０２６７】
また、各サービングセルに対して、下りリンクシンボル、上りリンクシンボル、流動的シンボル（ｆｌｅｘｉｂｌｅ  ｓｙｍｂｏｌ）を指示するＵＬ−ＤＬ−ｃｏｎｆｉｇｕｒａｔｉｏｎ−ｄｅｄｉｃａｔｅｄ−ＳＣｅｌｌを設定して、これに基づいて、基準時間領域を更新することができる。また、先に占有されたリソース指示設定時に、セルごとに除外されるシンボル情報を設定して、この設定に基づいて特定シンボルを除外することができる。
【０２６８】
周波数軸には全てのＵＥに対する活性帯域幅部分（ａｃｔｉｖｅ  ＢＷＰ）が常に同一であることを仮定する場合、ＳＣｅｌｌにおける帯域幅部分スイッチング（ＢＷＰ  ｓｗｉｔｃｈｉｎｇ）に制限（ｒｅｓｔｒｉｃｔｉｏｎ）が発生する可能性がある。これを軽減するための方法として、基準ＢＷＰ（Ｒｅｆｅｒｅｎｃｅ  ＢＷＰ）又はリソースブロック集合（ＲＢ  ｓｅｔ）を先に占有されたリソース指示設定（ｐｒｅ−ｅｍｐｔｉｏｎ  ｉｎｄｉｃａｔｉｏｎ  ｃｏｎｆｉｇｕｒａｔｉｏｎ）によって設定することができる。
【０２６９】
前記設定の対象は、ＳＣｅｌｌ又は先に占有されたリソース指示子が含まれたＤＣＩ（ＰＩ  ＤＣＩ）が送信されないセルに限定することができる。或いは、当該ＳＣｅｌｌの基本帯域幅部分（ｄｅｆａｕｌｔ  ＢＷＰ）又は初期帯域幅部分（ｉｎｉｔｉａｌ  ＢＷＰ）を先に占有されたリソース指示子（ＰＩ）に対する基準周波数領域に設定するものであってもよい。一方、実際の活性帯域幅部分が異なるＵＥは、当該先に占有されたリソース指示子（ＰＩ）に含まれた情報を無視することができる。
【０２７０】
一方、複数のセルに対する先に占有されたリソース指示が単一ＤＣＩを介して送信されるとき、セル別に時間及び周波数細分性（Ｔｉｍｅ  ａｎｄ  Ｆｒｅｑｕｅｎｃｙ  ｇｒａｎｕｌａｒｉｔｙ）は、独立的に設定されることができる。すなわち、分割区画数に関する情報は、全てのセルに対して同一である必要はなく、先に占有されたリソース指示設定において各セル別に設定されるか、ＰＣｅｌｌとＳＣｅｌｌに対して区分して設定することができる。また、ＳＣｅｌｌに対しては、基準周波数リソース設定が難しい可能性があるため、常に（Ｍ，Ｎ）は（１４，１）と仮定することができる。すなわち、ＳＣｅｌｌに対しては、時間ドメインに対する先に占有されたリソース情報のみ指示してもよい。前記ＳＣｅｌｌは、先に占有されたリソース指示を他のセルから受信するセルを意味してもよい。
【０２７１】
図１２を参照すると、通信装置１２００は、プロセッサ１２１０、メモリ１２２０、ＲＦモジュール１２３０、ディスプレイモジュール１２４０、及びユーザインターフェースモジュール１２５０を備えている。
【０２７２】
通信装置１２００は説明の便宜のために示されたもので、一部のモジュールは省略されてもよい。また、通信装置１２００は必要なモジュールをさらに備えてもよい。また、通信装置１２００において一部のモジュールはより細分化したモジュールに区分されてもよい。プロセッサ１２１０は、図面を参照して例示した本発明の実施例に係る動作を実行するように構成される。具体的に、プロセッサ１２１０の詳細な動作は、図１〜図１１に記載された内容を参照すればよい。
【０２７３】
メモリ１２２０は、プロセッサ１２１０に接続し、オペレーティングシステム、アプリケーション、プログラムコード、データなどを格納する。ＲＦモジュール１２３０は、プロセッサ１２１０に接続し、基底帯域信号を無線信号に変換したり、無線信号を基底帯域信号に変換する機能を果たす。そのために、ＲＦモジュール１２３０は、アナログ変換、増幅、フィルタリング及び周波数アップ変換又はこれらの逆過程を行う。ディスプレイモジュール１２４０は、プロセッサ１２１０に接続し、様々な情報をディスプレイする。ディスプレイモジュール１２４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１２５０は、プロセッサ１２１０に接続し、キーパッド、タッチスクリーンなどのような周知のユーザインターフェースの組み合わせで構成可能である。
【０２７４】
以上説明してきた実施例は、本発明の構成要素及び特徴を所定の形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に置き換えられてもよい。特許請求の範囲において明示的な引用関係にない請求項を結合して実施例を構成したり、出願後の補正により新しい請求項として含めたりできるということは明らかである。
【０２７５】
本文書で基地局によって行われるとした特定動作は、場合によってはその上位ノード（ｕｐｐｅｒ  ｎｏｄｅ）によって行われることもある。すなわち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードによって行われ得ることは明らかである。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語にしてもよい。
【０２７６】
本発明に係る実施例は、様々な手段、例えば、ハードウェア、ファームウェア（ｆｉｒｍｗａｒｅ）、ソフトウェア又はそれらの結合などによって具現化することができる。ハードウェアによる具現化では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現化することができる。
【０２７７】
ファームウェアやソフトウェアによる具現化では、本発明の一実施例は、以上で説明された機能又は動作を実行するモジュール、手順、関数などの形態で具現化されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０２７８】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０２７９】
上述したような無線通信システムにおいて、先に占有されたリソース情報を指示する方法及びそのための装置は、第５世代ＮｅｗＲＡＴシステムに適用される例を中心として説明したが、第５世代ＮｅｗＲＡＴシステムの他にも様々な無線通信システムに適用することができる。
【図１】
0006949962.tif 000044
【図２】
0006949962.tif 000045
【図３】
0006949962.tif 000046
【図４】
0006949962.tif 000047
【図５】
0006949962.tif 000048
【図６（ａ）】
0006949962.tif 000049
【図６（ｂ）】
0006949962.tif 000050
【図７】
0006949962.tif 000051
【図８】
0006949962.tif 000052
【図９】
0006949962.tif 000053
【図１０】
0006949962.tif 000054
【図１１】
0006949962.tif 000055
【図１２】
0006949962.tif 000056